(57)【要約】  電子タバコの技術分野における電子タバコ吸煙機であって、ケーシング（１００）と、ケーシング（１００）の側面に装着されており、中軸線が水平面に対し平行であるとともに、軸線を中心としてケーシング（１００）に対し回転する回転ディスク（２００）と、を含み、回転ディスク（２００）の端面にはディスク体吸引貫通孔（２１０）が設けられており、ケーシング（１００）の側面には筐体密封部材（１２０）が設けられており、筐体密封部材（１２０）内には水平方向にケーシング（１００）の内部まで貫通する密封通気孔（１２１）が設けられており、筐体密封部材（１２０）の端面は回転ディスク（２００）の端面と接触しており、主制御回路基板は回転ディスク（２００）に電気的に接続されている。回転ディスク（２００）は水平面に対し垂直となっている。電子タバコは吸引実験過程において回転ディスク（２００）とともに周方向に回動することで、カトマイザー（２０１）内のリキッドを流動させてリキッドガイド綿を十分に浸潤させる。これにより、アトマイザーに対し十分なリキッドが安定的に供給されるため、エアロゾル化効率、エアロゾル化量及び実験データの安定性及び精度が保障される。
2019502922.tif 000002
【特許請求の範囲】
【請求項１】
ケーシング（１００）と、前記ケーシング（１００）に装着されており、軸線を中心線として前記ケーシング（１００）に対し回転する回転ディスク（２００）とを含み、前記回転ディスク（２００）の端面には少なくとも１つのディスク体吸引貫通孔（２１０）が設けられており、前記ケーシング（１００）には筐体密封部材（１２０）が設けられており、前記筐体密封部材（１２０）内には前記ケーシング（１００）の内部まで貫通する密封通気孔（１２１）が設けられており、前記密封通気孔（１２１）が捕集装置（２）の一端に連通する際には、前記捕集装置（２）の他端が吸引装置（４４０）に連通する電子タバコ吸煙機において、
前記回転ディスク（２００）の中軸線は水平面に対し平行であり、
少なくとも１つのタバコ挟持機構が、挟持機構本体（３１０）及び前記挟持機構本体（３１０）に設けられるタバコ挟持装置（３２０）を含み、前記タバコ挟持装置（３２０）が前記回転ディスク（２００）のディスク体吸引貫通孔（２１０）に装着されており、前記タバコ挟持装置（３２０）の一端は電子タバコ（１）を水平方向に挿入するためのタバコ挟持端（３２１）となっており、前記タバコ挟持装置（３２０）には、煙を通過させるための水平方向に貫通する軸方向貫通孔（３２２）が設けられており、前記回転ディスク（２００）は、前記軸方向貫通孔（３２２）が前記筐体密封部材（１２０）の密封通気孔（１２１）と連通する位置まで回転可能であることを特徴とする電子タバコ吸煙機。
【請求項２】
前記ディスク体吸引貫通孔（２１０）が２つ以上の場合には、２つ以上の前記ディスク体吸引貫通孔（２１０）が前記回転ディスク（２００）に均一に配置されるとともに、各前記ディスク体吸引貫通孔（２１０）の中軸線と前記回転ディスク（２００）の中軸線との距離が同一であることを特徴とする請求項１に記載の電子タバコ吸煙機。
【請求項３】
前記筐体密封部材（１２０）は前記ケーシング（１００）の側面上部に設けられており、前記密封通気孔（１２１）の中軸線と前記回転ディスク（２００）の中軸線はいずれも水平面と垂直な鉛直平面を通過していることを特徴とする請求項２に記載の電子タバコ吸煙機。
【請求項４】
前記筐体密封部材（１２０）の端面は前記回転ディスク（２００）の端面と接触しており、前記回転ディスク（２００）における前記筐体密封部材（１２０）と接触する端面は平面であることを特徴とする請求項１に記載の電子タバコ吸煙機。
【請求項５】
更に、捕集装置自動装着計量システムを含み、前記捕集装置自動装着計量システムは、
前記電子タバコ吸煙機のケーシング（１００）に設けられるとともに前記ケーシング（１００）の内部に連通する投入一時タンク（５１０）及び排出一時タンク（５２０）と、
前記ケーシング（１００）の内部に設けられる伝動機構（６００）、天秤（７００）、押出ロッドユニット（４００）及び排出伝送機構（８００）と、を含み、
主制御回路基板（３００）は、前記押出ロッドユニット（４００）、前記伝動機構（６００）、前記投入一時タンク（５１０）、前記排出一時タンク（５２０）及び前記排出伝送機構（８００）に電気的に接続されており、
前記投入一時タンク（５１０）は、前記電子タバコ吸煙機の外部から装入される捕集装置（２）を受け付け、前記捕集装置（２）は前記排出一時タンク（５２０）から取り出され、
前記伝動機構（６００）にはマニピュレータ（６１０）が装着されており、前記マニピュレータ（６１０）は前記捕集装置（２）を取得し、前記伝動機構（６００）は、前記捕集装置（２）が準備位置及び計量位置に到達するよう前記マニピュレータ（６１０）を移動させ、且つ、前記捕集装置（２）の移動過程において、前記捕集装置（２）の中軸線は前記密封通気孔（１２１）の中軸線に対し平行を維持し、
前記天秤（７００）は前記計量位置に到達した前記捕集装置（２）を計量し、
前記押出ロッドユニット（４００）は前記捕集装置（２）を吸引位置まで水平に移動させるよう押動し、前記押出ロッドユニット（４００）には吸引用の気道（４２１）が設けられており、
前記排出伝送機構（８００）は、前記捕集装置（２）を前記排出一時タンク（５２０）まで搬送することを特徴とする請求項１に記載の電子タバコ吸煙機。
【請求項６】
前記排出伝送機構（８００）は、前記捕集装置（２）を摺動させるスロープ（８１０）及び排出押出シリンダ（８２０）を含み、前記スロープ（８１０）のうち前記排出一時タンク（５２０）寄りの一端の水平高さは、前記スロープ（８１０）のうち前記排出一時タンク（５２０）から離開する一端の水平高さよりも低くなっており、前記排出押出シリンダ（８２０）は前記スロープ（８１０）のうち前記排出一時タンク（５２０）寄りの一端の下方に設けられており、前記排出押出シリンダ（８２０）のピストンロッドは前記排出一時タンク（５２０）の真下に位置していることを特徴とする請求項５に記載の電子タバコ吸煙機。
【請求項７】
前記捕集装置（２）は、捕集本体（２１）及び前記捕集本体（２１）の軸方向の両端面に設けられる導気ヘッド（２２）を含み、前記マニピュレータ（６１０）は端部にＶ状溝を備える２本の爪（６１１）であり、前記Ｖ状溝によって対応する前記導気ヘッド（２２）を支持することを特徴とする請求項５に記載の電子タバコ吸煙機。
【請求項８】
前記押出ロッドユニット（４００）は、押出ロッドシリンダ（４１０）及び中継密封部材（４２０）を含み、前記中継密封部材（４２０）は前記押出ロッドシリンダ（４１０）のピストンロッドに接続されており、前記気道（４２１）は前記中継密封部材（４２０）に設けられており、捕集装置（２）が吸引位置にある場合、前記中継密封部材（４２０）が前記捕集装置（２）の排気端に密封接続されるとともに、前記気道（４２１）が前記捕集装置（２）と前記吸引装置（４４０）を連通することを特徴とする請求項５に記載の電子タバコ吸煙機。
【請求項９】
更に、電子タバコトリガシステムを含み、前記電子タバコトリガシステムは、タバコトリガ部（３）及び前記タバコトリガ部（３）に接続されるトリガ制御シリンダ（４）を含み、前記タバコトリガ部（３）は、前記トリガ制御シリンダ（４）の制御によって電子タバコ（１）と接触可能であり、前記トリガ制御シリンダ（４）は接続ブロック（５）に固定されており、前記接続ブロック（５）は接続構造（６）を介して前記ケーシング（１００）に接続されることを特徴とする請求項１に記載の電子タバコ吸煙機。
【請求項１０】
前記タバコトリガ部（３）は負極接触端子（３１）と正極接触端子（３２）を含み、前記負極接触端子（３１）は前記電子タバコ（１）の負極（１１）の位置に対応し、前記正極接触端子（３２）は前記電子タバコ（１）の正極（１２）の位置に対応し、前記負極接触端子（３１）と正極接触端子（３２）は電流制御装置に接続されることを特徴とする請求項９に記載の電子タバコ吸煙機。
【請求項１１】
前記タバコトリガ部（３）はタバコ押圧端子（３３）を含み、前記タバコ押圧端子（３３）は前記電子タバコ（１）の通電ボタン（１３）の位置に対応していることを特徴とする請求項９に記載の電子タバコ吸煙機。
【請求項１２】
前記挟持機構本体（３１０）は水平底板（３１１）及び鉛直支持プレート（３１４）を含み、前記水平底板（３１１）の上面にはガイド溝（３１２）が設けられており、前記ガイド溝（３１２）は前記水平底板（３１１）の長さ方向に設けられており、前記鉛直支持プレート（３１４）の底部は前記水平底板（３１１）の後端に接続されており、前記鉛直支持プレート（３１４）には水平方向に貫通するベース貫通孔（３１５）が設けられており、
前記タバコ挟持装置（３２０）の他端はディスク体接続端（３２４）となっており、前記ディスク体接続端（３２４）は前記鉛直支持プレート（３１４）のベース貫通孔（３１５）に嵌入しており、
前記タバコ挟持機構は更にタバコ挟持部材（３３０）を含み、前記タバコ挟持部材（３３０）は、挟持部材底板（３３１）と、前記挟持部材底板（３３１）上に対向して設けられる２つの側面挟持部（３３４）を含み、前記挟持部材底板（３３１）は前記水平底板（３１１）のガイド溝（３１２）に装着されるとともに前記ガイド溝（３１２）の長さ方向に移動可能であり、２つの前記側面挟持部（３３４）は、前記軸方向貫通孔（３２２）の中軸線を通る鉛直平面を中軸面として対称に設けられていることを特徴とする請求項１に記載の電子タバコ吸煙機。
【発明の詳細な説明】
【技術分野】
【０００１】
本発明は電子タバコの技術分野に関し、特に、電子タバコ吸煙機に関する。
【背景技術】
【０００２】
電子タバコは一種の新型製品である。従来のタバコ葉から製造される紙巻きタバコが点火して吸引されるのとは異なり、現在の主な電子タバコ製品では電気加熱によりリキッドをエアロゾル化することで、リキッド中のエアロゾル剤や香気成分、ニコチン等をエアロゾル状態に変換する。これにより紙巻きタバコの煙霧に類似した効果を得ることで、喫煙時に満足感の得られる製品を消費者に提供している。電子タバコは紙巻きタバコと類似した消費経験が可能であるとともに、従来の紙巻きタバコと比べて有害成分が極めて低く、新型のタバコ製品における具体的な発展の方向性を示している。一方、中国は電子タバコの発祥地であるとともに主要な生産地でもあり、世界の９０％以上の電子タバコが中国で生産されている。しかし、国内外における電子タバコの研究や管理・監督については未だ初期段階にあり、現在のところ、電子タバコの検査業務に適用される吸引方法や関連の技術基準についても研究・制定段階にある。こうした中で、留まることを知らない製品規模の拡大や研究業務の進展、技術要求の高まりに伴って、電子タバコの検査に特化した計器や機器に対するニーズ、特に、製品の研究開発や品質制御に必要とされる機能を完備し、且つ性能の安定した吸煙機に対するニーズは緊急性を増すばかりである。
【０００３】
図１に示すように、従来の回転ディスク式吸煙機は水平に回転する回転ディスク８１を備えている。回転ディスク８１は、水平面に対し垂直な回転軸８４を中心線とする。また、回転ディスク８１には、円周沿いに複数のタバコ挟持装置が配置されている。吸煙時には紙巻きタバコをタバコ挟持装置８２に挿入し、回転ディスク８１を水平に回転させる。このとき、紙巻きタバコの軸方向中心線は回転軸８４に対し垂直となる。吸引時には、タバコ挟持装置８２の後方で９０度をなす煙伝送湾曲管８３を通じて、煙が回転ディスク式吸煙機における捕集装置に伝送される。
【０００４】
また、図２に示すように、従来の直線型吸煙機には複数の吸引孔路８５が直線的に配列されており、各吸引孔路８５にタバコ挟持装置が１つずつ対応して装着されている。また、各吸引孔路８５には独立した吸引ユニットが接続されており、複数の紙巻きタバコを同時に点火して、基準に定義される吸引容量で同時に吸引する。
【０００５】
従来の電子タバコの動作原理では、制御回路が手動又はエアスイッチをトリガとして電熱線に電気を供給する。すると、電流により電熱線が高温となることで、電熱線内部に巻き付けられているガラス繊維リキッドガイドが高温による芯効果（ｗｉｃｋ  ｅｆｆｅｃｔ）を発揮する。リキッドはガラス繊維リキッドガイドに沿って高温端へと継続的に伝送され、電熱線の巻き付け箇所に到達すると瞬間的に加熱されて蒸発し、煙霧となる。そして、喫煙者がノズルから吸引すると気流が吸気孔から進入し、エアロゾル室内で発生した蒸気と煙霧がノズルから吸い出されることで紙巻きタバコと類似した感覚が得られる。ところで、重力の関係上、リキッドは貯蔵室内で流動可能ではあるが均一には分布していない。従来の直線型吸煙機では電子タバコは運動せず、従来の回転ディスク式吸煙機では電子タバコは水平に回転するため、リキッドは重力の作用によって常に貯蔵室の下方に沈んだ状態となる。このことから、リキッドが連続テスト過程で消費され、残量が上部のガラス繊維リキッドガイドを常に浸潤及び補充不可能なほど減少した場合、リキッドの補充量が不足することでエアロゾル化量が大きく変動し、煙霧量が減少する恐れがある。この場合、同様の設計を有する別々の電子タバコのサンプル間又は個体間において、実際の検査過程で異なるエアロゾル化結果が生じる恐れがある。また、上記のような電子タバコは、例えばリキッドガイド綿で貯蔵綿内が覆われているような別の設計の電子タバコの貯蔵室と比べると、リキッドの補充量や補充の適時性が検査機器又は検査方法の違いによって変化する場合があり、最終的に検査結果のズレや誤差の拡大といった事態を招来してしまう。
【０００６】
また、従来の２種類の吸煙機の機構には手動又は連動制御用の押圧部材が設けられておらず、手動トリガ式電子タバコをテストする機能が備わっていない。
【０００７】
また、２種類の吸煙機では、従来の紙巻きタバコの吸引終了を自動判断するにあたり、即ち、紙巻きタバコの燃焼終了位置を判断するにあたり、タバコに密着させた綿糸の焼断又は赤外線感知による識別方式を採用している。しかし、電子タバコには点火及び消火の過程が存在しないため、このような吸煙機では、電子タバコのリキッドの使い切り有無や電子タバコのバッテリ電気量の使い切り有無について、即ち、電子タバコの使用寿命について直にオンライン判断することはできない。
【０００８】
また、電子タバコのカトマイザー部はリキッド貯蔵量が大きく、エアロゾル化後のエアロゾル総放出量がガラス繊維製ケンブリッジフィルタ１枚分の捕集能力を大幅に超えてしまう。そこで、電子タバコの連続使用期間における品質安定性能を継続的にテストする際には、一定回数吸引するごとにフィルタ捕集装置を交換せねばならない。また、エアロゾル放出量の変動状況をリアルタイムで監視・制御するとの観点から、各フィルタによる捕集期間中に、捕集装置の計量動作を複数回挟まねばならないこともある。ところが、従来の吸煙機を使用する際には、人為的に実験プロセスを中断してケンブリッジフィルタ付き捕集装置を交換する必要があるため、人件費の増加や作業効率の低下が避けられない。更には、実験結果のズレや誤差の可能性が大幅に増大する。
【発明の概要】
【発明が解決しようとする課題】
【０００９】
以上のような従来技術における瑕疵に鑑みて、本発明で提供する電子タバコ吸煙機は次の技術的課題を解決する。
１．テスト過程において、電子タバコを周方向に回転させてリキッドの流動を自動的に実現することで、ガラス繊維リキッドガイドを十分に浸潤し、リキッド誘導効果及びエアロゾル化量の安定を保証する。
２．電子タバコ吸煙機に設けられる捕集装置自動装着計量システムによって、電子タバコの吸引インターバル中に自動的に捕集装置の計量を実施するとともに、２度の計量の変動量から煙霧の放出有無を判断する。即ち、電子タバコの寿命を判断する。また、記録された複数回の計量結果から電子タバコの品質安定性を判断する。
３．電子タバコ吸煙機に設けられる捕集装置自動装着計量システムによって、電子タバコの吸引インターバル中に、所定の吸引回数又はタバコ本数ごとに自動的に新たな捕集装置に交換する。これにより、テストプロセスを中断することなく、電子タバコの煙霧放出量が捕集装置のフィルタ積載能力を超えてしまうとの課題を解決する。
４．電子タバコ吸煙機に搭載される電子タバコトリガシステム及びこれと組み合わせて使用される電子タバコロッドによって、手動トリガ式電子タバコのオンライン同時トリガを実現可能とする。また、組み合わせて使用される電子タバコロッドによって、分離型電子タバコのカトマイザーに対し外部からの電気供給を可能とする。これにより、分離型電子タバコに付属されるバッテリ電気量の不足や電気供給の不安定さといった状況を解消し、検査プロセスの連続性を確実に保証する。
【課題を解決するための手段】
【００１０】
本発明は、ケーシングと、前記ケーシングに装着されており、軸線を中心線として前記ケーシングに対し回転する回転ディスクとを含み、前記回転ディスクの端面には少なくとも１つのディスク体吸引貫通孔が設けられており、前記ケーシングには筐体密封部材が設けられており、前記筐体密封部材内には前記ケーシングの内部まで貫通する密封通気孔が設けられており、前記密封通気孔が捕集装置の一端に連通する際には、前記捕集装置の他端が吸引装置に連通し、前記回転ディスクの中軸線は水平面に対し平行であり、少なくとも１つのタバコ挟持機構が、挟持機構本体及び前記挟持機構本体に設けられるタバコ挟持装置を含み、前記タバコ挟持装置が前記回転ディスクのディスク体吸引貫通孔に装着されており、前記タバコ挟持装置の一端は電子タバコを水平方向に挿入するためのタバコ挟持端となっており、前記タバコ挟持装置には、煙を通過させるための水平方向に貫通する軸方向貫通孔が設けられており、前記回転ディスクは、前記軸方向貫通孔が前記筐体密封部材の密封通気孔と連通する位置まで回転可能である電子タバコ吸煙機を提供する。
【００１１】
本発明の回転ディスクの中軸線は水平面に対し平行である。即ち、回転ディスクの回転中心線と水平面が平行となっている。回転ディスクには少なくとも１つのディスク体吸引貫通孔が設けられている。ディスク体吸引貫通孔は、回転ディスクの両端面を貫通している。また、ディスク体吸引貫通孔には電子タバコを挟持するためのタバコ挟持機構が装着される。タバコ挟持機構におけるタバコ挟持装置の軸方向貫通孔は水平方向に設けられている。タバコ挟持装置３２０の軸方向貫通孔は、回転ディスクに伴われて密封通気孔と突き合わされる位置まで回転すると、密封通気孔と連通可能となる。電子タバコはタバコ挟持機構により挟持及び固定されていることから、回転ディスクが１回転する際に、電子タバコは回転ディスクの中軸線を中心としてケーシングに対し１周回動する。また、電子タバコの内部に貯蔵されるリキッドがリキッド貯蔵室の内壁に沿って１周流動することから、自動的にガラス繊維リキッドガイドに対する十分な流動及び浸潤が実現される。これにより、従来の吸煙機においてリキッドの沈降により発生していた煙霧排出の安定性問題が効果的に解決されるため、テスト結果がより正確となり、且つ、実際の喫煙行為に類似することとなる。
【００１２】
また、捕集装置を吸引位置まで移動するよう水平方向に押動し、捕集装置を筐体密封部材の密封通気孔と連通させた場合、即ち、吸引時において、煙はタバコ挟持装置の軸方向貫通孔から筐体密封部材の密封通気孔を通過し、水平方向に捕集装置へと進入する。捕集装置と電子タバコは同軸に配置されるため、従来の吸煙機のように湾曲管内でエアロゾルが衝突して凝縮し、沈殿するとの事態が大幅に低減する。よって、伝送ロスが減少し、煙の検査分析精度にとって有利となる結果、従来の吸煙機では電子タバコ１の吸引時に解決困難であった技術的課題が解決される。
【００１３】
好ましくは、前記ディスク体吸引貫通孔が２つ以上の場合には、２つ以上の前記ディスク体吸引貫通孔が前記回転ディスクに均一に配置されるとともに、各前記ディスク体吸引貫通孔の中軸線と前記回転ディスクの中軸線との距離が同一である。当該構造によれば、回転ディスクの回転時に、タバコ挟持装置の軸方向貫通孔が順に筐体密封部材の密封通気孔と連通する。
【００１４】
更に、前記筐体密封部材は前記ケーシングの側面上部に設けられており、前記密封通気孔の中軸線と前記回転ディスクの中軸線はいずれも水平面と垂直な鉛直平面を通過している。通常、捕集装置はケーシングの上部から装入されるため、捕集装置を筐体密封部材の密封通気孔と対応する吸引位置へ迅速に移動させやすいよう、筐体密封部材はケーシングの上部に設けられている。また、密封通気孔の中軸線と回転ディスクの中軸線は鉛直平面を通過している。当該構造によれば、軸方向貫通孔がケーシングの上部寄りの位置まで移動したときに筐体密封部材の密封通気孔と連通可能となる。
【００１５】
好ましくは、前記筐体密封部材の端面は前記回転ディスクの端面と接触しており、前記回転ディスクにおける前記筐体密封部材と接触する端面は平面である。よって、回転ディスクの回転過程において、回転ディスクの端面と筐体密封部材の密封通気孔との密封が容易となる。
【００１６】
好ましくは、前記電子タバコ吸煙機は捕集装置自動装着計量システムを更に含む。前記捕集装置自動装着計量システムは、前記電子タバコ吸煙機のケーシングに設けられるとともに前記ケーシングの内部に連通する投入一時タンク及び排出一時タンクと、前記ケーシングの内部に設けられる伝動機構、天秤、押出ロッドユニット及び排出伝送機構と、を含み、主制御回路基板は、前記押出ロッドユニット、前記伝動機構、前記投入一時タンク、前記排出一時タンク及び前記排出伝送機構に電気的に接続されており、前記投入一時タンクは前記電子タバコ吸煙機の外部から装入される捕集装置を受け付け、前記捕集装置は前記排出一時タンクから取り出され、前記伝動機構にはマニピュレータが装着されており、前記マニピュレータは前記捕集装置を取得し、前記伝動機構は、前記捕集装置が準備位置及び計量位置に到達するよう前記マニピュレータを移動させ、且つ、前記捕集装置の移動過程において、前記捕集装置の中軸線は前記密封通気孔の中軸線に対し平行を維持し、前記天秤は前記計量位置に到達した前記捕集装置を計量し、前記押出ロッドユニットは前記捕集装置を吸引位置まで水平に移動させるよう押動し、前記押出ロッドユニットには吸引用の気道が設けられており、前記排出伝送機構は、前記捕集装置を前記排出一時タンクまで搬送する。
【００１７】
捕集装置は、電子タバコ吸煙機の外部から投入一時タンクに装入される。電子タバコの吸引が必要な場合、主制御回路基板は、伝動機構がマニピュレータを準備位置から投入一時タンクの下方に近接する受付位置まで移動させるよう制御する。準備位置とは初期化ゼロ位置である。当該位置は、マニピュレータが他の各動作位置へ移動するにあたっての基準位置となり、移動距離の算出に用いられる。主制御回路基板は投入一時タンク内の捕集装置がマニピュレータに降下するよう制御し、マニピュレータは捕集装置を携えて準備位置へと戻る。その後、主制御回路基板は押出ロッドユニットが捕集装置を吸引位置に押し込むよう制御する。これにより、捕集装置が電子タバコの吸引端に接続されるとともに、気道と捕集装置が連通する。ここで、吸引装置が気道を介して電子タバコを吸引すると、電子タバコの蒸気及び煙霧が捕集装置に吸い込まれる。吸引が完了すると、主制御回路基板は押出ロッドユニットが収縮するよう制御する。また、主制御回路基板は、前記伝動機構がマニピュレータ上の捕集装置を天秤上の計量位置に移動させ、捕集装置を計量するよう制御する。前記捕集装置を取り出したい場合には、捕集装置が排出伝送機構によって排出一時タンクの排出位置へと搬送される。
【００１８】
捕集装置の通気方向は常に電子タバコの吸引試験方向と一致している。また、捕集装置は重力を利用して降下するとともにマニピュレータと連携するため、２度の吸引間のインターバル中に迅速且つ安定的に捕集装置の交換を確実に完了させられる。捕集装置は吸煙機の内部において常にマニピュレータにより制御される。また、吸引位置と計量位置は非常に近接しているため、マニピュレータは主制御回路基板の制御によって迅速に所望の位置へと移動可能である。これにより、２度の吸引間のインターバル中に計量動作を完了した後、捕集装置を吸引位置に戻すことが可能となる。
【００１９】
更に、前記排出伝送機構は、前記捕集装置を摺動させるスロープ及び排出押出シリンダを含み、前記スロープのうち前記排出一時タンク寄りの一端の水平高さは、前記スロープのうち前記排出一時タンクから離開する一端の水平高さよりも低くなっており、前記排出押出シリンダは前記スロープのうち前記排出一時タンク寄りの一端の下方に設けられており、前記排出押出シリンダのピストンロッドは前記排出一時タンクの真下に位置している。
【００２０】
捕集装置を迅速に排出位置へ伝送するために、排出伝送機構にはスロープが設けられている。マニピュレータが捕集装置をスロープにおける前記排出一時タンクから離開する一端に載置すれば、捕集装置はスロープの傾斜方向に沿ってスロープにおける排出一時タンク寄りの一端へと摺動する。このとき、排出押出シリンダのピストンロッドは捕集装置の真下に位置しているため、排出押出シリンダのピストンロッドが鉛直方向に捕集装置を押動するよう主制御回路基板により制御すれば、捕集装置を迅速に排出一時タンクの排出位置へと押し込むことが可能である。
【００２１】
更に、前記捕集装置は、捕集本体及び前記捕集本体の軸方向の両端面に設けられる導気ヘッドを含み、前記マニピュレータは端部にＶ状溝を備える２本の爪であり、前記Ｖ状溝によって対応する前記導気ヘッドを支持する。当該構造によれば、マニピュレータの爪が安定的に導気ヘッドを支持可能なことから、マニピュレータによる捕集装置の移動が容易となる。
【００２２】
更に、前記押出ロッドユニットは、押出ロッドシリンダ及び中継密封部材を含み、前記中継密封部材は前記押出ロッドシリンダのピストンロッドに接続されており、前記気道は前記中継密封部材に設けられており、捕集装置が吸引位置にある場合、前記中継密封部材が前記捕集装置の排気端に密封接続されるとともに、前記気道が前記捕集装置と前記吸引装置を連通する。当該構造によれば、捕集装置を迅速に吸引位置へと押動可能であるとともに、捕集装置と気道とを密封接続させられる。
【００２３】
好ましくは、電子タバコ吸煙機は、電子タバコトリガシステムを更に含み、前記電子タバコトリガシステムは、タバコトリガ部及び前記タバコトリガ部に接続されるトリガ制御シリンダを含み、前記タバコトリガ部は、前記トリガ制御シリンダの制御によって電子タバコと接触可能であり、前記トリガ制御シリンダは接続ブロックに固定されており、前記接続ブロックは接続構造を介して前記ケーシングに接続される。ケーシングに専用の電子タバコトリガシステムを装着することで、電子タバコのトリガ自動制御が実現されるため、従来の吸煙機には手動トリガ式電子タバコのトリガシステムが存在しないとの状況や、外部供給電源にかかる課題が解決される。
【００２４】
更に、前記タバコトリガ部は負極接触端子と正極接触端子を含み、前記負極接触端子は前記電子タバコの負極の位置に対応し、前記正極接触端子は前記電子タバコの正極の位置に対応し、前記負極接触端子と正極接触端子は電流制御装置に接続される。当該技術方案では、吸煙機の電流制御装置から安定した直流電流を供給し、正極接触端子及び負極接触端子を通じて電子タバコにおける電子タバコロッドの正極及び負極と接触することで、電子タバコロッドに接続されるカトマイザーに電気を供給する。このような方案によれば、測定過程の連続的な安定性が保たれ、測定データが正確且つ有効となる。このほか、前記技術方案では、電流制御装置によって電圧、電流、パワー等のパラメータを調節し、電熱線の温度を変更することで、異なる電気供給量におけるリキッドのエアロゾル化効果を考察可能なため、製品の研究開発において技術的根拠を提供可能となる。
【００２５】
更に、前記タバコトリガ部はタバコ押圧端子を含み、前記タバコ押圧端子は前記電子タバコの通電ボタンの位置に対応している。上記の方案で電子タバコにトリガを与えることで、ミリ秒レベルの正確なプリトリガ時間を設定可能となる。これによれば、トリガ時間のプリタイム設定を実現可能なことから、トリガ時間にタイムラグが生じるとの課題が解消される。よって、いっそう正確に吸煙機の吸引開始時間に連動することができる。
【００２６】
好ましくは、前記挟持機構本体は水平底板及び鉛直支持プレートを含み、前記水平底板の上面にはガイド溝が設けられており、前記ガイド溝は前記水平底板の長さ方向に設けられており、前記鉛直支持プレートの底部は前記水平底板の後端に接続されており、前記鉛直支持プレートには水平方向に貫通するベース貫通孔が設けられており、前記タバコ挟持装置の他端はディスク体接続端となっており、前記ディスク体接続端は前記鉛直支持プレートのベース貫通孔に嵌入しており、前記タバコ挟持機構は更にタバコ挟持部材を含み、前記タバコ挟持部材は、挟持部材底板と、前記挟持部材底板上に対向して設けられる２つの側面挟持部を含み、前記挟持部材底板は前記水平底板のガイド溝に装着されるとともに前記ガイド溝の長さ方向に移動可能であり、２つの前記側面挟持部は、前記軸方向貫通孔の中軸線を通る鉛直平面を中軸面として対称に設けられている。
【００２７】
タバコの吸引端はタバコ挟持装置のタバコ挟持端に挿入される。２つの側面挟持部は軸方向貫通孔の中軸線を通る鉛直平面を中軸面として対称に設けられているため、対向して設けられる２つの側面挟持部がタバコの側面を挟持すると、タバコの中軸線がタバコ挟持装置の軸方向貫通孔に正確に突き合わされる。これにより、タバコはタバコ挟持装置への挿入後に常に気密を維持することになり、且つ、タバコの位置を安定的に保持可能となる。このほか、挟持部材底板はガイド溝の長さ方向に移動可能なことから、２つの側面挟持部によるタバコの挟持位置はタバコの構造に応じて変更可能である。よって、本発明のタバコ挟持機構によれば各種タイプのタバコを挟持可能となる。
【発明の効果】
【００２８】
本発明の回転ディスクは水平面に対し垂直となっている。電子タバコは吸引実験過程において回転ディスクとともに周方向に回動することで、カトマイザー内のリキッドを流動させてリキッドガイド綿を十分に浸潤させる。これにより、アトマイザーに対し十分なリキッドが安定的に供給されるため、エアロゾル化効率、エアロゾル化量及び実験データの安定性及び精度が保障される。また、タバコ挟持機構は回転ディスクの回転方向と連携して、安定的に電子タバコを挟持する。また、捕集装置自動装着計量システムは回転ディスクの運動方向と連携して、捕集装置が所望の位置に到達するよう制御する。且つ、捕集装の通気方向は常に電子タバコの吸引試験方向と一致しているため、２度の吸引間のインターバル中に迅速且つ安定的に捕集装置の交換を確実に完了させられる。更には、２度の吸引間のインターバル中に計量動作を完了し、捕集装置を吸引位置に戻すことも可能である。また、本発明の電子タバコトリガシステムによれば、電子タバコのトリガ自動制御が実現されるため、従来の吸煙機には手動トリガ式電子タバコのトリガシステムが存在しないとの状況や、外部供給電源にかかる課題が解決される。
【図面の簡単な説明】
【００２９】
【図１】図１は、従来の回転ディスク式吸煙機の構造を示す図である。
【図２】図２は、従来の直線型吸煙機の構造を示す図である。
【図３】図３は、本実施例の電子タバコ吸煙機の外部構造を示す図である。
【図４】図４は、本実施例の電子タバコ吸煙機において、捕集装置が捕集装置自動交換計量システムの準備位置にある場合の断面構造を示す図である。
【図５】図５は、本実施例の電子タバコ吸煙機において、捕集装置が捕集装置自動交換計量システムの準備位置にある場合の構造を示す斜視図である。
【図６】図６は、本実施例の電子タバコ吸煙機の断面構造を示す図である。
【図７】図７は、本実施例の電子タバコ吸煙機において、捕集装置が捕集装置自動交換計量システムの吸引位置にある場合の構造を示す斜視図である。
【図８】図８は、本実施例の電子タバコ吸煙機において、捕集装置が捕集装置自動交換計量システムの計量位置にある場合の構造を示す斜視図である。
【図９】図９は、本実施例の電子タバコ吸煙機における回転ディスクの構造を示す図である。
【図１０】図１０は、本実施例の電子タバコ吸煙機における筐体密封部材の構造を示す図である。
【図１１】図１１は、本実施例の電子タバコ吸煙機における捕集装置自動交換計量システムの天秤の構造を示す図である。
【図１２】図１２は、本実施例の電子タバコ吸煙機において、捕集装置が捕集装置自動交換計量システムのスロープ上で摺動する構造を示す図である。
【図１３】図１３は、本実施例の電子タバコ吸煙機において、捕集装置が捕集装置自動交換計量システムの排出位置にある場合の構造を示す図である。
【図１４】図１４は、本実施例の捕集装置の構造を示す図である。
【図１５】図１５は、本実施例の電子タバコ吸煙機において、捕集装置自動交換計量システムの投入一時タンクにおける回転式位置規制装置が捕集装置を回転により解除しない場合の構造を示す図である。
【図１６】図１６は、本実施例の電子タバコ吸煙機において、捕集装置自動交換計量システムの投入一時タンクにおける回転式位置規制装置が捕集装置を回転により解除する場合の構造を示す図である。
【図１７】図１７は、本実施例の電子タバコ吸煙機において、捕集装置自動交換計量システムの位置規制部材が初期状態にある場合の構造を示す図である。
【図１８】図１８は、本実施例の電子タバコ吸煙機において、捕集装置自動交換計量システムの位置規制部材が捕集装置により押動されて回転し、開放された場合の構造を示す図である。
【図１９】図１９は、主制御回路基板の制御下における本実施例の電子タバコ吸煙機の動作フローを示す。
【図２０】図２０は、本実施例の電子タバコ吸煙機における電子タバコトリガシステムの構造を示す図である。
【図２１】図２１は、本実施例の電子タバコ吸煙機における電子タバコトリガシステムが直流通電する場合を示す図である。
【図２２】図２２は、本実施例の電子タバコ吸煙機における電子タバコトリガシステムの左側面図である。
【図２３】図２３は、本実施例の電子タバコ吸煙機における電子タバコトリガシステムが押圧通電する場合を示す図である。
【図２４】図２４は、本実施例の電子タバコ吸煙機における電子タバコトリガシステムの左側面図である。
【図２５】図２５ａは、図２１に示す電子タバコトリガシステムが直流通電する場合に組み合わせて使用される電子タバコロッドの構造を示す図である。図２５ｂは、図２１に示す電子タバコトリガシステムが直流通電する場合に組み合わせて使用される電子タバコロッドの構造を示す図である。図２５ｃは、図２１に示す電子タバコトリガシステムが直流通電する場合に組み合わせて使用される電子タバコロッドの構造を示す図である。
【図２６】図２６ａは、図２５ａ〜図２５ｃに示す電子タバコロッドとカトマイザーを直接接続する構造を示す図である。図２６ｂは、図２５ａ〜図２５ｃに示す電子タバコロッドとカトマイザーを直接接続する構造を示す図である。図２６ｃは、図２５ａ〜図２５ｃに示す電子タバコロッドとカトマイザーを直接接続する構造を示す図である。
【図２７】図２７ａは、継手を介して図２５ａ〜図２５ｃに示す電子タバコロッドとカトマイザーを接続する構造を示す図である。図２７ｂは、継手を介して図２５ａ〜図２５ｃに示す電子タバコロッドとカトマイザーを接続する構造を示す図である。図２７ｃは、継手を介して図２５ａ〜図２５ｃに示す電子タバコロッドとカトマイザーを接続する構造を示す図である。
【図２８】図２８は、本実施例の電子タバコ吸煙機において、タバコ挟持機構にタバコ挟持装置が装着されていない場合の構造を示す図である。
【図２９】図２９は、本実施例の電子タバコ吸煙機におけるタバコ挟持機構の使用時の構造を示す図である。
【図３０】図３０は、図２９の断面構造を示す図である。
【図３１】図３１は、本実施例の電子タバコ吸煙機におけるタバコ挟持機構のタバコ挟持構造を示す図である。
【発明を実施するための形態】
【００３０】
以下に、特定の具体的実施例を挙げて本発明の実施形態につき説明する。ただし、本技術を熟知する者であれば、本明細書に開示の内容から本発明のその他の利点及び効果を容易に理解可能である。
【００３１】
図面を参照する場合、本明細書の図面に記載する構造、比率、寸法等は、いずれも明細書に開示の内容と組み合わせることで当業者の理解と閲読に供するものにすぎず、本発明で実施可能な限定条件を規定するものではないため、技術上の実質的意味はない。あらゆる構造の補足、比率関係の変更又は寸法の調整は、本発明により得られる効果及び達成可能な目的に影響しないことを前提に、いずれも本発明で開示する技術内容の範囲に包括される。また、本明細書で引用する「上」、「下」、「左」、「右」、「中間」、「一の」等の用語もまた記述を明瞭化するためのものにすぎず、本発明で実施可能な範囲を限定するものではない。よって、相対関係の変更又は調整もまた、技術内容を実質的に変更しないことを前提に、本発明で実施可能な範疇とみなされる。
【００３２】
図３〜図１２、図１９及び図３０に示すように、本実施例の電子タバコ吸煙機は、ケーシング１００と、ケーシング１００の側面に装着されており、軸線を中心線としてケーシング１００に対し回転する回転ディスク２００と、を含む。回転ディスク２００の端面には、少なくとも１つのディスク体吸引貫通孔２１０が設けられている。また、ケーシング１００の側面には筐体密封部材１２０が設けられており、筐体密封部材１２０内にはケーシング１００の内部まで貫通する密封通気孔１２１が設けられている。密封通気孔１２１が捕集装置２の一端と連通する際には、捕集装置２の他端が吸引装置４４０に連通する。回転ディスク２００の中軸線は水平面に対し平行である。また、少なくとも１つのタバコ挟持機構が、挟持機構本体３１０及び挟持機構本体３１０に設けられるタバコ挟持装置３２０を含み、タバコ挟持装置３２０が回転ディスク２００のディスク体吸引貫通孔２１０に装着されている。タバコ挟持装置３２０の一端は電子タバコを水平方向に挿入するためのタバコ挟持端３２１となっている。また、タバコ挟持装置３２０には、煙を通過させるための水平方向に貫通する軸方向貫通孔３２２が設けられている。回転ディスク２００は、軸方向貫通孔３２２が筐体密封部材１２０の密封通気孔１２１と連通する位置まで回転可能である。
【００３３】
本発明の回転ディスク２００の中軸線は水平面に対し平行である。即ち、回転ディスク２００の回転中心線と水平面が平行となっている。回転ディスク２００には少なくとも１つのディスク体吸引貫通孔２１０が設けられている。ディスク体吸引貫通孔２１０は、回転ディスク２００の両端面を貫通している。また、ディスク体吸引貫通孔２１０には、電子タバコ１を挟持するためのタバコ挟持機構が装着される。タバコ挟持機構におけるタバコ挟持装置３２０の軸方向貫通孔３２２は水平方向に設けられている。タバコ挟持装置３２０の軸方向貫通孔３２２は密封通気孔１２１と突き合わされる位置まで回転すると、密封通気孔１２１と連通可能となる。電子タバコ１はタバコ挟持機構により挟持及び固定されていることから、回転ディスク２００が１回転する際に、電子タバコ１は回転ディスク２００の中軸線を中心としてケーシング１００に対し１周回動する。また、電子タバコ１の内部に貯蔵されるリキッドがリキッド貯蔵室の内壁に沿って１周流動することから、自動的にガラス繊維リキッドガイドに対する十分な流動及び浸潤が実現される。これにより、従来の吸煙機においてリキッドの沈降により発生していた煙霧排出の安定性問題が効果的に解決されるため、テスト結果がより正確となり、且つ、実際の喫煙行為に類似することとなる。
【００３４】
また、捕集装置２を吸引位置まで移動するよう水平方向に押動し、捕集装置２を筐体密封部材１２０の密封通気孔１２１と連通させた場合、即ち、吸引時において、煙はタバコ挟持装置３２０の軸方向貫通孔３２２から筐体密封部材１２０の密封通気孔１２１を通過し、水平方向に捕集装置２へと進入する。捕集装置２と電子タバコ１は同軸に配置されるため、従来の吸煙機のように湾曲管内でエアロゾルが衝突して凝縮し、沈殿するとの事態が大幅に低減する。よって、伝送ロスが減少し、煙の検査分析精度にとって有利となる結果、従来の吸煙機では電子タバコ１の吸引時に解決困難であった技術的課題が解決される。
【００３５】
電子タバコ吸煙機の全体構造をよりコンパクト化及び合理化すべく、ディスク体吸引貫通孔２１０の中軸線と回転ディスク２００の中軸線は平行とする。また、密封装着孔１１０の中軸線が、回転ディスク２００の回動時にディスク体吸引貫通孔２１０の中心点が経由する円形の回動軌跡を通るようにする。密封通気孔１２１は、水平方向に筐体密封部材１２０の内部を貫通している。
【００３６】
回転ディスク２００をより安定的に制御するために、電子タバコ吸煙機は主制御回路基板３００を含む。主制御回路基板３００は回転ディスク２００に電気的に接続されており、回転ディスク２００の回転を制御する。
【００３７】
本実施例において、回転ディスク２００の中央には更に筐体接続孔２２０が設けられている。筐体接続孔２２０は、ケーシング１００のベースに嵌設するよう接続される。タバコ挟持装置３２０のタバコ挟持端３２１は、挟持部Ｏリングを介して、回転ディスク２００の対応するディスク体吸引貫通孔２１０に対し軸方向において同心に密封接続される。
【００３８】
筐体密封部材１２０は密封コア１２２を含み、密封通気孔１２１が水平方向に密封コア１２２の両端面を貫通している。密封コア１２２のうち回転ディスク２００寄りの一端には環状の凹溝が設けられている。環状の凹溝は、密封コア１２２の外表面と密封通気孔１２１の間に介在している。環状の凹溝には、環状バネ１２３、密封部Ｏリング１２４、環状耐摩耗部材及びネジ蓋１２５が順に装入されている。回転ディスク２００の回転時には、回転ディスク２００の端面とネジ蓋１２５との接触面がしっかりと密着するよう維持されるため、摺接と気密の双方が実現される。また、環状バネ１２３は、密封コア１２２のうち回転ディスク２００寄りの一端が一定の伸縮性を持つよう弾性を維持する。
【００３９】
密封コア１２２のうち回転ディスク２００から離開する一端には軸方向に円錐孔が開設されており、円錐孔の円錐環状面における中央部には密封環状凹溝が開設されている。また、密封環状凹溝にはこれに適合する捕集密封Ｏリング１２６が装着されており、捕集装置２の吸気口に接続されて気密を維持するために用いられる。
【００４０】
ディスク体吸引貫通孔２１０が２つ以上の場合には、２つ以上のディスク体吸引貫通孔２１０が回転ディスク２００上に均一に配置されるとともに、各ディスク体吸引貫通孔２１０の中軸線と回転ディスク２００の中軸線との距離が同一とされる。当該構造によれば、回転ディスク２００の回転時に、タバコ挟持装置３２０の軸方向貫通孔３２２が順に筐体密封部材１２０の密封通気孔１２１と連通する。
【００４１】
筐体密封部材１２０はケーシング１００の側面上部に設けられている。また、密封通気孔１２１の中軸線と回転ディスク２００の中軸線はいずれも水平面と垂直な鉛直平面を通過している。通常、捕集装置２はケーシング１００の上部から装入されるため、捕集装置２を筐体密封部材１２０の密封通気孔１２１と対応する吸引位置へ迅速に移動させやすいよう、筐体密封部材１２０はケーシング１００の上部に設けられている。また、密封通気孔１２１の中軸線と回転ディスク２００の中軸線は鉛直平面を通過している。当該構造によれば、軸方向貫通孔３２２がケーシング１００の上部寄りの位置まで移動したときに筐体密封部材１２０の密封通気孔１２１と連通可能となる。また、筐体密封部材１２０の端面と回転ディスク２００の端面がしっかりと密着しているため、回転ディスク２００の回転過程において煙の流動経路が確実に外気と隔離され、漏気が生じる恐れがない。
【００４２】
本実施例において、回転ディスク２００は平坦な円柱形状をなしているため、回転ディスク２００の両端面は平行且つ平面となっている。よって、回転ディスク２００の回転過程において、回転ディスク２００の端面と筐体密封部材１２０の密封通気孔１２１との密封が容易となる。
【００４３】
電子タバコ吸煙機は、捕集装置自動装着計量システムを更に含む。捕集装置自動装着計量システムは、電子タバコ吸煙機のケーシング１００に設けられるとともにケーシング１００の内部に連通する投入一時タンク５１０及び排出一時タンク５２０と、ケーシング１００の内部に設けられる伝動機構６００、天秤７００、押出ロッドユニット４００及び排出伝送機構８００とを含む。主制御回路基板３００は、押出ロッドユニット４００、伝動機構６００、天秤７００、投入一時タンク５１０、排出一時タンク５２０及び排出伝送機構８００に電気的に接続されている。投入一時タンク５１０は、電子タバコ吸煙機の外部から装入される捕集装置２を受け付ける。また、捕集装置２は排出一時タンク５２０から取り出される。伝動機構６００にはマニピュレータ６１０が装着されており、マニピュレータ６１０が捕集装置２を取得する。伝動機構６００は、捕集装置２が準備位置及び計量位置に到達するようマニピュレータ６１０を移動させる。且つ、捕集装置２の移動過程において、捕集装置２の中軸線は密封通気孔１２１の中軸線に対し平行を維持する。天秤７００は計量位置に到達した捕集装置２を計量する。押出ロッドユニット４００は捕集装置２を吸引位置まで水平に移動させるよう押動する。押出ロッドユニット４００には吸引用の気道４２１が設けられている。排出伝送機構８００は、捕集装置２を鉛直方向に排出一時タンク５２０の排出位置まで搬送する。
【００４４】
吸煙機の構造をコンパクト化すべく、投入一時タンク５１０と排出一時タンク５２０はケーシング１００の上面に設ければよい。排出伝送機構８００は、鉛直方向に捕集装置２を排出一時タンク５２０の排出位置へと搬送する。
【００４５】
本発明の捕集装置自動交換計量システムの使用時には、捕集装置２が電子タバコ吸煙機の外部から投入一時タンク５１０に装入される。電子タバコ１の吸引が必要な場合、主制御回路基板３００は、伝動機構６００がマニピュレータ６１０を準備位置から投入一時タンク５１０の下方に近接する受付位置まで移動させるよう制御する。準備位置とは初期化ゼロ位置である。当該位置は、マニピュレータ６１０が他の各動作位置へ移動するにあたっての基準位置となり、移動距離の算出に用いられる。主制御回路基板３００は投入一時タンク５１０内の捕集装置２がマニピュレータ６１０に降下するよう制御し、マニピュレータ６１０は捕集装置２を携えて準備位置へと戻る。その後、主制御回路基板３００は押出ロッドユニット４００が捕集装置２を吸引位置に押し込むよう制御する。且つ、これに伴ってマニピュレータ６１０が動作することで、捕集装置２が筐体密封部材１２０を介して電子タバコ１の吸引端に接続されるとともに、気道４２１と捕集装置２が連通する。ここで、吸引装置４４０が気道４２１を介して電子タバコ１を吸引すると、電子タバコ１の蒸気及び煙霧が捕集装置２に吸い込まれる。設定条件に基づいて一定の回数又はタバコ本数の吸引を終えると、主制御回路基板３００は押出ロッドユニット４００が収縮するよう制御する。また、主制御回路基板３００は、伝動機構６００のマニピュレータ６１０上の捕集装置２が準備位置に戻され、更に下方に向かって天秤７００上の計量位置まで移動するとともに、マニピュレータが引き続き下降して捕集装置２からやや離れることにより、捕集装置２の計量が行われるよう制御する。計量が完了すると、主制御回路基板３００は伝動機構６００がマニピュレータ６１０を上昇させて準備位置まで戻るよう制御する。設定条件に応じて引き続き吸引が必要な場合、主制御回路基板３００は押出ロッドユニット４００が再び捕集装置２を吸引位置へと押し込んで吸引を実施するよう制御する。そして、設定された吸引条件に基づいて吸引及び計量過程を繰り返し、設定された吸引終了条件に達して捕集装置２を取り出す必要が生じると、捕集装置２が排出伝送機構８００により排出一時タンク５２０の排出位置へと搬送される。
【００４６】
密封通気孔１２１の中軸線が位置する方向が電子タバコ１の吸引テストの方向となるため、本発明では、受付位置に存在するマニピュレータ６１０に向かって鉛直方向に捕集装置２を降下させる。且つ、マニピュレータ６１０が捕集装置２を準備位置、計量位置及び排出位置へと移動させる過程において、捕集装置２の中軸線は密封通気孔１２１の中軸線に対し平行を維持する。よって、本発明のシステム使用時には、捕集装置２の通気方向が常に電子タバコ１の吸引テスト方向と一致することになる。このように、捕集装置２は重力を利用して降下し、且つマニピュレータ６１０と連携することから、２度の吸引間のインターバル中に迅速且つ安定的に捕集装置２の交換を確実に完了させられる。即ち、電子タバコ１の２度の吸引間のインターバルである２７ｓ以内に捕集装置２の交換が実現される。
【００４７】
捕集装置２は、吸煙機の内部において常にマニピュレータ６１０による有効制御範囲内に位置している。また、伝動機構６００と天秤７００はいずれもケーシング１００の内部に位置しており、計量位置と吸引位置が非常に近接している。そのため、吸引が完了すると、マニピュレータ６１０は容易に捕集装置２を計量位置へと移動させられる。また、計量完了後には、マニピュレータ６１０によって捕集装置２を再び吸引位置へと移動させることができる。捕集装置２が計量位置に移動して計量が実施され、再び吸引位置へと戻る全過程は主制御回路基板３００により制御される。したがって、２度の吸引間のインターバル中に全て動作を確実に完了することも可能である。即ち、電子タバコ１の２度の吸引間のインターバルである２７ｓ以内に捕集装置２を吸引位置から計量位置へと伝送して計量を実施した後、捕集装置２を再び吸引位置に戻すことが可能である。
【００４８】
本発明は、回転ディスク２００の回転と捕集装置２の自動装着計量システムとの最適な組み合わせを提供する。これによれば、電子タバコ１の吸引１回あたりの吸引持続時間と吸引容量に関する基準の規定を守りつつ、少なくとも以下の２種類のテストフローを実現可能である。
【００４９】
フロー１：同一ブランド及び規格の複数の電子タバコ１を回転ディスク２００に装着する場合には、各電子タバコ１を連続して順に１回又は複数回吸引することで、放出されたエアロゾルを捕集装置２のフィルタに捕集することが可能である。この間、各電子タバコ１における２度の吸引間のインターバルは規定により２７ｓ超とし、１本目の電子タバコ１の１回目の吸引完了から２回目の吸引までのインターバル中に他の電子タバコ１を吸引することが可能である。全ての電子タバコ１について設定回数の吸引が完了すると、捕集装置２を交換してから引き続き次の設定回数の吸引を実施する。このように、全ての電子タバコ１について全設定回数分の吸引が完了するか、或いは、全ての電子タバコ１の寿命が終了するまで継続することで、複数の電子タバコ１について１回吸引ごと或いは複数回吸引ごとの分析過程を実現する。また、これによれば検査時間の大幅な節約にもなる。
【００５０】
フロー２：回転ディスク２００の吸引孔路ごとに異なるブランド及び規格の電子タバコ１を複数装着する場合には、１本ずつの吸引完了過程を設定する。即ち、１本の電子タバコ１を完全に吸引し終わってから次のタバコを吸引するよう設定する。各電子タバコ１の吸引過程では、吸引回数又は最少捕集量の設定値に基づいて自動的に捕集装置２を交換する。これによれば、１回の連続テスト過程で、複数の異なるブランド及び規格の電子タバコ１について、１回吸引ごとの分析、全煙分析及び寿命検査を完了することが可能である。
【００５１】
排出伝送機構８００は、捕集装置２を摺動させるスロープ８１０及び排出押出シリンダ８２０を含む。スロープ８１０のうち排出一時タンク５２０寄りの一端の水平高さは、スロープ８１０のうち排出一時タンク５２０から離開する一端の水平高さよりも低くなっている。排出押出シリンダ８２０はスロープ８１０のうち排出一時タンク５２０寄りの一端の下方に設けられている。排出押出シリンダ８２０のピストンロッドは排出一時タンク５２０の真下に位置している。また、排出押出シリンダ８２０のピストンロッドには捕集装置２を受け付ける受付部が設けられている。
【００５２】
スロープ８１０を設けることで、捕集装置２を迅速に排出位置へ伝送することが可能となる。マニピュレータ６１０によって捕集装置２をスロープにおける排出一時タンク５２０から離開する一端に載置すれば、捕集装置２はスロープ８１０の傾斜方向に沿ってスロープ８１０における排出一時タンク５２０寄りの一端へと摺動する。このとき、排出押出シリンダ８２０のピストンロッドは捕集装置２の真下に位置しているため、排出押出シリンダ８２０のピストンロッドが鉛直方向に捕集装置２を押動するよう主制御回路基板３００により制御すれば、捕集装置２を迅速に排出一時タンク５２０の排出位置へと押し込むことが可能である。
【００５３】
図３、図１５、図１６及び図１９に示すように、投入一時タンク５１０には捕集装置２を挿入するための投入案内溝５１１が設けられている。投入案内溝５１１内には、捕集装置２を回転により解除可能な回転式位置規制装置５１２と、捕集装置２の位置を識別する投入識別装置５１３が設けられている。回転式位置規制装置５１２と投入識別装置５１３は、いずれも主制御回路基板３００に電気的に接続されている。
【００５４】
回転式位置規制装置５１２は、捕集装置２の下方への移動を規制するよう支持可能な制動部５１４を含む。回転式位置規制装置５１２が１８０度回転するよう制御されると、制動部５１４も１８０度回転するため、捕集装置２は制動部５１４に規制されることなくケーシング１００の内部へと降下してゆく。
【００５５】
捕集装置２が投入案内溝５１１内の回転式位置規制装置５１２における制動部５１４に遮られて下方に移動不可能となった場合、投入識別装置５１３は捕集装置２が投入案内溝５１１内に位置するとの情報を主制御回路基板３００に伝送する。すると、主制御回路基板３００は、回転式位置規制装置５１２を１８０度回転して捕集装置２を解除し、捕集装置２がケーシング１００内部の受付位置にあるマニピュレータ６１０に降下するよう制御する。投入案内溝５１１は、捕集装置２が投入案内溝５１１から準備位置へと進入する過程において、捕集装置２の中軸線が常に水平面に対し平行となるよう捕集装置２の位置を規定する。
【００５６】
図３、図１７〜図１９に示すように、排出一時タンク５２０には捕集装置２を挿入するための排出案内溝５２１が設けられている。排出案内溝５２１内には、捕集装置２を上方に押動することで開放可能となる押上式位置規制装置５２２と、捕集装置２の位置を識別する排出識別装置５２３が設けられている。押上式位置規制装置５２２と排出識別装置５２３は、いずれも主制御回路基板３００に電気的に接続されている。
【００５７】
押上式位置規制装置５２２は、排出案内溝５２１内に対向して設けられる２つの位置規制部材５２４である。２つの位置規制部材５２４は排出案内溝５２１に対し動作可能に接続されている。また、位置規制部材５２４の上部の水平方向における長さは、位置規制部材５２４の下部の水平方向における長さよりも大きい。
【００５８】
捕集装置２は、排出押出シリンダ８２０のピストンロッドによって排出一時タンク５２０へと押動される。すると、捕集装置２は２つの位置規制部材５２４を回動させるよう押動し、２つの位置規制部材５２４を通過する。捕集装置２が排出位置に押し出されると、主制御回路基板３００は２つの位置規制部材５２４を元の位置に回復させて捕集装置２を支えるよう制御する。排出押出シリンダ８２０のピストンロッドは、捕集装置２が２つの位置規制部材５２４を通過して排出案内溝５２１の排出位置に到達するよう、捕集装置２を鉛直方向に迅速に押動可能である。
【００５９】
図５及び図１４に示すように、捕集装置２は、捕集本体２１及び捕集本体２１の軸方向の両端面に設けられる導気ヘッド２２を含む。また、マニピュレータ６１０は端部にＶ状溝を備える２本の爪６１１であり、Ｖ状溝によって対応する導気ヘッド２２を支持する。当該構造によれば、マニピュレータ６１０の爪６１１が安定的に導気ヘッド２２を支持可能なことから、マニピュレータ６１０による捕集装置２の移動が容易となる。
【００６０】
図８、図９及び図１２に示すように、捕集本体２１の側面は円弧形状をなしているため、天秤７００の計量端には捕集装置２に対応するアダプタ７１０が装着されている。アダプタ７１０の支持面７１１の形状は捕集本体２１の側面形状に対応している。即ち、支持面７１１は円弧形状をなしている。当該構造によれば、捕集装置２の捕集本体２１の側面を安定的にアダプタ７１０に載置することが可能なため、計量が容易となる。
【００６１】
吸引完了後に捕集装置２を計量しやすいよう天秤７００は準備位置の下方に位置しており、マニピュレータ６１０は、吸引位置から迅速に準備位置を経由して計量位置へと移動する。
【００６２】
図６、図７及び図１９に示すように、押出ロッドユニット４００は、押出ロッドシリンダ４１０及び中継密封部材４２０を含む。中継密封部材４２０は押出ロッドシリンダ４１０のピストンロッド４１に接続されており、気道４２１が中継密封部材４２０に設けられている。捕集装置２が吸引位置にある場合、中継密封部材４２０が捕集装置２の排気端に密封接続されるとともに、気道４２１が捕集装置２と吸引装置４４０を連通する。当該構造によれば、捕集装置２を迅速に吸引位置へと押動可能であるとともに、捕集装置２と気道４２１とを密封接続させられる。
【００６３】
中継密封部材４２０は導気接続ロッド４３０を介して吸引装置４４０に接続されており、導気接続ロッド４３０と気道４２１とが連通している。吸引装置４４０は、導気接続ロッド４３０を介して中継密封部材４２０の気道４２１に連通しており、吸引が実施されると、電子タバコ１の蒸気及び煙霧が捕集装置２に吸い込まれる。吸引装置４４０と押出ロッドシリンダ４１０は、いずれも主制御回路基板３００に電気的に接続されている。
【００６４】
図５及び図１９に示すように、伝動機構６００は、鉛直ガイドレール６２１が設けられる鉛直ガイドプレート６２０と、鉛直ガイドレール６２１に装着されており、且つ、鉛直ガイドレール６２１に沿って鉛直に移動可能であるとともに、鉛直駆動軸６４０が接続されており、鉛直駆動軸６４０に鉛直駆動モータ６５０が接続されている水平支持プレート６３０と、水平支持プレート６３０に設けられる水平ガイドロッド６６０と、水平支持プレート６３０に対し動作可能に接続されており、且つ、水平支持プレート６３０上で水平に移動可能な水平ガイドプレート６８０と、水平ガイドプレート６８０に接続されており、出力軸が水平ガイドロッド６６０に沿って水平方向に移動可能な水平駆動モータ６７０と、水平ガイドプレート６８０に設けられており、中軸線の位置する方向が水平ガイドプレート６８０の水平支持プレート６３０上における水平移動方向に対し垂直である水平ガイドレール６８１と、を含む。マニピュレータ６１０と水平ガイドレール６８１はバネにより動作可能に接続されており、且つ、マニピュレータ６１０は水平ガイドレール６８１に沿って移動可能である。また、鉛直駆動モータ６５０と水平駆動モータ６７０はいずれも主制御回路基板３００に電気的に接続されている。
【００６５】
鉛直駆動モータ６５０は、鉛直駆動軸６４０を介して水平支持プレート６３０を鉛直方向に移動させる。水平駆動モータ６７０は、水平ガイドプレート６８０を水平ガイドロッド６６０に沿って移動させる。また、マニピュレータ６１０は、捕集装置２を水平ガイドレール６８１に沿って移動可能とする。水平ガイドレール６８１の中軸線が位置する方向は水平ガイドプレート６８０の水平支持プレート６３０上における水平移動方向に対し垂直である。よって、伝動機構６００は、マニピュレータ６１０によって捕集装置２を３つの互いに垂直な方向へと迅速に移動させられるため、捕集装置２を迅速に所望の位置へと移動させられる。
【００６６】
本実施例の捕集装置自動交換計量システムの使用方法は、以下のステップを含む。
【００６７】
図３〜５、図１５、図１６及び図１９に示すように、捕集装置２は、電子タバコ吸煙機の外部から投入一時タンク５１０の投入位置に装入される。投入識別装置５１３が、投入位置に捕集装置２が位置するとの検知情報を主制御回路基板３００に伝送すると、主制御回路基板３００は、伝動機構６００によってマニピュレータ６１０を投入一時タンク５１０の下方寄りの受付位置に移動させるよう制御する。続いて、主制御回路基板３００が投入一時タンク５１０の回転式位置規制装置５１２を１８０度回転させるよう制御すると、制動部５１４が１８０度回転して、捕集装置２がマニピュレータ６１０へと降下する。捕集装置２が受付位置に到達すると、主制御回路基板３００はマニピュレータ６１０が捕集装置２を携えて準備位置に移動するよう制御する。
【００６８】
図６、図７及び図１９に示すように、電子タバコ１の吸引を要する場合、主制御回路基板３００は押出ロッドユニット４００が捕集装置２を水平方向に吸引位置へと押し込むよう制御する。すると、マニピュレータ６１０が捕集装置２とともに移動し、マニピュレータ６１０を水平ガイドレール６８１に接続しているバネ（図示しない）が収縮する。捕集装置２と電子タバコ１の吸引端が接続されると、押出ロッドユニット４００の気道４２１と捕集装置２が連通する。主制御回路基板３００は、吸引装置４４０が気道４２１を介して電子タバコ１を吸引し、電子タバコ１の蒸気及び煙霧が捕集装置２に進入して吸い込まれるよう制御する。
【００６９】
図４、図５、図８、図１１及び図１９に示すように、吸引が完了すると、主制御回路基板３００は押出ロッドユニット４００が収縮するよう制御する。すると、マニピュレータ６１０を水平ガイドレール６８１に接続しているバネが弛緩して、マニピュレータ６１０が捕集装置２を準備位置に戻す。主制御回路基板３００は、伝動機構６００がマニピュレータ６１０上の捕集装置２を天秤７００上の計量位置に移動させるよう制御する。そして、主制御回路基板３００は、マニピュレータ６１０が捕集装置２を解放し、天秤７００が捕集装置２の重量を計測するよう制御する。
【００７０】
図１２、図１３、図１７〜図１９に示すように、捕集装置２を取り出したい場合には、主制御回路基板３００が伝動機構６００を通じてマニピュレータ６１０を制御することで、捕集装置２をスロープ８１０のうち排出一時タンク５２０から離開する一端に移動させる。マニピュレータ６１０が捕集装置２を解放すると、捕集装置２はスロープ８１０に沿って排出押出シリンダ８２０の受付部まで摺動する。主制御回路基板３００は、排出押出シリンダ８２０のピストンロッドを上方へ移動させることで、捕集装置２によって排出一時タンク５２０内の押上式位置規制装置５２２を押動し、開放するよう制御する。即ち、２つの位置規制部材５２４が回動することで、捕集装置２が上方に向かって排出一時タンク５２０の排出位置へと移動する。排出識別装置５２３が、捕集装置２が排出位置にあるとの検知情報を主制御回路基板３００に伝送すると、主制御回路基板３００は２つの位置規制部材５２４を初期位置に戻し、捕集装置２の下方において捕集装置２を支持するよう制御する。
【００７１】
図２〜図１９に示すように、電子タバコ１の吸引可能回数は従来の紙巻きタバコよりも遥かに多く、通常は少なくとも１５０回以上である。当該技術分野において公知である煙霧の捕集に常用される４４ｍｍ径のガラス繊維製ケンブリッジフィルタの場合、理論上の煙霧積載量は１５０ｍｇである。連続測定過程で煙霧の捕集量がフィルタの積載量を超過し、フィルタを通過してしまうとの事態を回避するためには、一定回数の吸引ごとにケンブリッジフィルタを備えた捕集装置２を交換する必要がある。そこで、本発明で設計される捕集装置２の投入一時タンク５１０と排出一時タンク５２０は、ケーシング１００の上部に垂直に配置されている。捕集装置２の軸方向は吸引実験の方向と一致しており、捕集装置２の吸気口の方向は回転ディスク２００に面するよう維持される。これによれば、重力を利用した降下及びマニピュレータ６１０との連携によって、２度の吸引間のインターバル中に迅速且つ安定的に捕集装置２の交換を確実に完了可能となる。
【００７２】
連続測定過程において、捕集装置２が交換されるまでの間、吸引過程における捕集装置２の質量の変動（即ち、電子タバコ１の煙霧発生量の変動）を監視・制御したい場合には、一定の吸引回数（例えば、１回、２回、３回…）ごとに捕集装置２を計量する必要がある。この場合、電子タバコ１の吸引孔路と吸引ユニットの間の吸引動作位置に密閉されている捕集装置２を取り出して計量した後、再び元の吸引動作位置に戻して再密閉する必要がある。当該技術分野において公知の検査関連基準又は方法の規定によれば、２度の吸引間のインターバルは一般的に最長１ｍｉｎとされる。また、電子タバコ１の場合には２度の吸引間のインターバルは通常２７ｓと規定される。従来の吸煙機を用いて電子タバコ１を吸引する場合、捕集装置２を計量したいときには手動又はマニピュレータ６１０によって捕集装置２を取り外し、手動で計量する必要がある。この場合には、上記の制限時間内に捕集装置２の計量を完了し、再び捕集装置２を吸引のための吸引動作位置に装着できる保証はない。そこで、本発明の利点としては、捕集装置２が吸煙機内において常にマニピュレータ６１０の有効制御範囲に置かれており、且つマニピュレータ６１０に非常に近接している。また、吸煙機の内部に設けられる天秤７００及び捕集装置２を支持するアダプタ７１０が吸引動作位置の下方に置かれており、且つ吸引動作位置に非常に近接している。吸引時には、捕集装置２の排気口方向に位置する押出ロッドユニット４００によって捕集装置２が吸引動作位置に押し込まれる。計量時には、押出ロッドシリンダ４１０の押出ロッドが解放されて、捕集装置２がマニピュレータ６１０に支持されつつ迅速に天秤７００における支持用のアダプタ７１０に送られる。そして、計量が完了すると再びマニピュレータ６１０により送り戻され、押出ロッドユニット４００によって再びしっかりと押し込まれる。この間の捕集装置２の伝送及び計量、データ収集過程は計器により全自動で遂行されるため、２度の吸引間のインターバル中に全ての動作を確実に完了させられる。
【００７３】
本発明のシステムによれば、重量法による吸引終了判断方法を実現可能であり、電子タバコ１の吸引終了判断にかかる課題が解決される。従来の紙巻きタバコは、紙巻きタバコのタバコ葉部分を燃焼させることで煙霧を発生させる。よって、紙巻きタバコが基準で定義される残留長さとなるまで燃焼した場合、タバコの外表面に密着し且つ終了位置に配置されている綿糸の焼断がマイクロスイッチのトリガとなるか、或いは、相応の位置に設けられる赤外線センサがトリガを与えることで吸引を終了する。この場合、１．フィルタなしタバコの吸引端から２３ｍｍ、２．フィルタの長さ＋８ｍｍ、３．チップペーパーの長さ＋３ｍｍ、のうちの最大値が吸引終了と判断するための残留長さとなる。これに対し、電子タバコ１は、電子タバコ１のリキッドをエアロゾル化することで煙霧を発生させるため、点火及び消火の過程が存在しない。よって、従来の吸煙機における吸引終了の判断方法や装置では電子タバコ１が吸引を終了したか否かを判断できない。そのため、電子タバコ１のリキッドの使い切り有無やバッテリ電気量の使い切り有無を判断したい場合に、現在存在する従来の吸煙機をそのまま用いて上記のような技術的難題を解決することは不可能である。しかし、本発明では、マニピュレータ６１０の動作と天秤７００による捕集装置２の計量とを連携させ、天秤７００で取得した捕集装置２の重量変動を主制御回路基板３００に伝送するとともに、重量の増加有無を検討することで煙霧の発生有無を判断する方法を採用している。これにより、リキッド又は電気量の使い切り有無を間接的に判断可能であり、結果として電子タバコ１の吸引終了を特定可能となる。
【００７４】
本発明のシステムを用いれば、オンラインで１回吸引ごとの分析を実現可能なことから、検査効率が大幅に向上する。吸煙機に１つ目の捕集装置２が自動的に装着されると、回転ディスク２００の回転に伴って、吸煙機は装着された電子タバコ１を１本ずつ自動的に吸引する。そして、全ての電子タバコ１について１回目の吸引が完了すると、即ち、全ての電子タバコ１について１回目に吸引したエアロゾルが１つ目の捕集装置２に捕集されると、２つ目の捕集装置２への交換が実施され、続いて各電子タバコ１についての２回目の吸引が再開される。このようにして、電子タバコ１につき１回吸引ごとの捕集及び分析が実現される。また、全ての電子タバコ１について、２回吸引ごと又は３回吸引ごと等に第１フィルタ、第２フィルタに順に捕集するなど、機能を拡張することも可能である。このような方式には以下のような利点がある。即ち、同一のブランド或いは規格の電子タバコ１製品についてまとめて品質検査を実施したい場合、往々にしてサンプル検査ロットごとに個体間の品質レベルが異なるとの問題が存在する。こうした製品品質の差に起因する検査データの誤差をできるだけ低減するためには、測定対象のサンプル数を増やさねばならない。しかし、従来の吸煙機を用いて１本ずつサンプルを測定する場合、即ち、１本目の吸引が完全に終了してから２本目を吸引する場合には、サンプルごとの２度の吸引間のインターバルが大変な時間の無駄となる。これに対し、本発明で提供するシステムの場合には、各電子タバコ１の吸引インターバルを十分に活用して他の電子タバコ１の吸引を完了させられるため、吸引検査効率の大幅な向上が実現される。例えば、各電子タバコ１について３０秒ごとに１度吸引する場合、２０回の吸引を完了するには１０分間を要するため、順に１０本吸引する場合の総所要時間は１００分となる。これに対し、本発明によれば、１本の電子タバコ１について１回あたりの吸引を３秒間継続した後、回転ディスク２００が１秒間回転する。そして、次の電子タバコ１を３秒間吸引した後、回転ディスク２００が再び１秒間回転する。このように累計してゆくと、４０秒で１０本全てについて１回ずつの吸引を完了させられる。よって、１０本全てについて全２００回の吸引タスクを完了するための総所要時間は１３分２０秒となり、８６分４０秒の節約となる。
【００７５】
本発明のシステムでは、電子タバコ吸煙機と捕集装置自動交換計量システムを接続することで、電子タバコ吸煙機に対し捕集装置２を連続的に補充するとともに、電子タバコ吸煙機でテストを終えた捕集装置２を取り出して捕集装置自動交換計量システムの供給タンクに保管するとの機能を自動的に実現可能である。具体的には、制御しようとする１又は複数台の吸煙機と捕集装置自動交換計量システムをバスにより接続する。主制御回路基板３００が各電子タバコ吸煙機及び捕集装置自動交換計量システムに検査タスクを送信すると、捕集装置自動交換計量システムは各電子タバコ吸煙機の投入一時タンク５１０における投入識別装置５１３に対し識別命令を送信して、捕集装置２の存在有無に関するフィードバック信号を受信する。捕集装置２が存在しない場合には、捕集装置自動交換計量システムの投入ラックから、各電子タバコ吸煙機の投入一時タンクに対し能動的に捕集装置２が送出される。同様に、各電子タバコ吸煙機が吸引を完了し、捕集装置２が排出一時タンク５２０に排出された場合には、排出一時タンク５２０の排出識別装置５２３がフィードバック信号を捕集装置自動交換計量システムに送信する。すると、当該システムによって捕集装置２が取り出され、システムの排出ラックに送出される。これよれば、捕集装置自動交換計量システムによる捕集装置２の大容量格納（５００個）、自動アクセス能力、及び電子タバコ吸煙機による連続自動テスト能力が組み合わされるため、まとまった量の電子タバコサンプルを一度に連続してテストすることが可能となる。例えば、５台の電子タバコ吸煙機と捕集装置自動交換計量システムを併用し、電子タバコ１本につき吸引４０回ごとに得られるエアロゾルをケンブリッジフィルタ捕集装置２に捕集するとする。一般的に、電子タバコを１本消費するのに要する吸引回数は４００回未満のため、合計４００回吸引するとして、１台につき１００個の捕集装置２のスペアを供給すれば、電子タバコ吸煙機１台につき１０個のブランド又は規格の電子タバコをテスト可能となる。つまり、合計５０個のサンプルをテスト可能となる。これによれば、次のような別の有益な効果が得られる。即ち、当該過程は１本ごとのテストフローであり、１本の電子タバコにつき２００分の時間を費やして４００回の吸引を完了してから次のタバコを吸引する。よって、５台で同時に１０本の電子タバコのテストをそれぞれ遂行する場合には、合計で約２０００分（約３３．３３時間）が必要とされる。しかし、全過程がシステムにより自動的に連続して遂行されるため、人による介入の必要がない。よって、明らかに大量の人件費を節約可能となり、非作業時間の利用率や作業効率が向上する。
【００７６】
図２０〜図２４及び図２９に示すように、本実施例では、電子タバコ吸煙機が更に電子タバコトリガシステムを含む。当該システムは、タバコトリガ部３及びタバコトリガ部３に接続されるトリガ制御シリンダ４を含む。タバコトリガ部３は、トリガ制御シリンダ４の制御によって電子タバコ１と接触可能となる。トリガ制御シリンダ４は接続ブロック５に固定されており、接続ブロック５が接続構造６を介してケーシング１００に接続される。当該電子タバコトリガシステムは、トリガ制御シリンダ４によってタバコトリガ部３の動作を制御する。電子タバコ１に通電したい場合には、タバコトリガ部３が電子タバコ１に接触する。また、電子タバコ１を電断したい場合には、タバコトリガ部３が電子タバコ１と接触しないよう、電子タバコ１の近傍に懸架される。
【００７７】
電子タバコ１は、タバコ挟持機構のタバコ挟持装置３２０とタバコ挟持部材３３０により挟持可能である。電子タバコ１の基部はケーシング１００の内部に挿入され、吸引経路を通じて吸引装置４４０と連通する。一方、当該トリガシステムはタバコ挟持機構の真上の位置に装着され、電子タバコ１の通電／電断を制御しつつ、吸引装置４４０による吸引動作と連携することで消費者の喫煙を模した機能を実現する。
【００７８】
通常、電子タバコ１は、リキッドが貯蔵されたカトマイザー２０１と、カトマイザー２０１を装着するタバコロッドからなる。タバコロッド内にはバッテリが設けられており、当該バッテリからカトマイザー２０１内の熱抵抗器２０１４に電流を供給して熱抵抗器２０１４を加熱することで、リキッドをエアロゾル化する。吸煙機を用いて電子タバコ１を検査する場合には、電子タバコ１の通電方式として次の２種類が存在する。第一の方式は、元の電子タバコ１におけるバッテリ付きのタバコロッドを取り除く。次に、カトマイザー２０１と特製の電子タバコロッド１００１（図２５ａ〜図２７ｃ参照）を接続し、カトマイザー２０１内の熱抵抗器２０１４と電子タバコロッド１００１の正極と負極をつなぐことで、テスト用の電子タバコ１を構成する。このとき、電子タバコ１（即ち、電子タバコロッド１００１）の負極１１と正極１２を外部に露出させ、上記のトリガシステムを用いて直に電子タバコ１の負極１１及び正極１２と接続する。これにより、図２１〜図２２に示すように電子タバコ１の通電を実現する。また、第二の方式としては、元の電子タバコ１を改造することなく、機械的方式で電子タバコ１のタバコロッドにおける通電ボタン３３を直に押圧することで、図２３〜図２４に示すように電子タバコ１の通電を実現する。
【００７９】
図２１〜図２２に示すように、電子タバコ１を直流電源に接続して通電する場合、タバコトリガ部３は負極接触端子３１と正極接触端子３２を含む。負極接触端子３１は電子タバコ１の負極１１の位置に対応し、正極接触端子３２は電子タバコ１の正極１２の位置に対応する。また、負極接触端子３１と正極接触端子３２は電流制御装置に接続される。負極接触端子３１と正極接触端子３２がトリガ制御シリンダ４の制御によってそれぞれ負極１１及び正極１２と接触すると、電子タバコ１が通電する。電流制御装置は電流、電圧、パワー等のパラメータを調節し、カトマイザー２０１内の熱抵抗器２０１４の温度を変更することで、リキッドのエアロゾル化レベルを調節可能である。
【００８０】
上記の通電方式において、外部直流電源には一定の電圧・電流で電気供給が可能であるとの特性がある。従来の吸煙機を用いてテストする場合、電子タバコの充電バッテリにおける１回あたりの充電電気量は、カトマイザー２０１内のリキッドを完全に使い切るには不十分なことが多かった。そのため、実験によってカトマイザーの寿命を研究・考察したい場合には、充電バッテリを用いて１回で考察を終了することは不可能であり、途中でサンプルを取り外してバッテリを再充電する必要があった。このことから、実験プロセスを中断せざるを得ず、実験誤差が生じていた。これに対し、上記の技術方案では、吸煙機の電流制御装置から安定した直流電流を供給し、負極接触端子３１及び正極接触端子３２を通じて電子タバコ１の負極１１及び正極１２と接触することで、カトマイザー２０１に電気を供給する。このような方案によれば、測定過程の連続的な安定性が保たれ、測定データが正確且つ有効となる。このほか、前記技術方案では、電流制御装置によって電圧、電流、パワー等のパラメータを調節し、電熱線の温度を変更することで異なる電気供給量におけるリキッドのエアロゾル化効果を考察可能なため、製品の研究開発において技術的根拠を提供可能となる。
【００８１】
電子タバコ１を当該電子タバコトリガシステムの直流通電方式に適用させるべく、本発明では、当該電子タバコトリガシステムに適用される電子タバコロッド１００１を特別に設計した。当該電子タバコロッド１００１にカトマイザー２０１を装着して構成される電子タバコ１が、当該電子タバコトリガシステムの直流通電方式に適用される。当該電子タバコロッド１００１の構造を図２５ａ〜図２５ｃに示す。電子タバコロッド１００１は、正極管１０１及び正極管１０１に覆設される負極管１０２を含む。正極管１０１のうちカトマイザー２０１から離開する一端は正極接触端子３２に接触し、正極管１０１のうちカトマイザー２０１寄りの一端は、負極管１０２を貫通してカトマイザー２０１の正極と接触する。負極管１０２の外表面は負極接触端子３１に接触し、負極管１０２のうちカトマイザー２０１寄りの一端はカトマイザー２０１の負極と接触する。また、負極管１０２と正極管１０１は複数の絶縁リングにより隔てられている。負極管１０２及び正極管１０１は、それぞれカトマイザー２０１の負極及び正極に接続されるとともに、負極接触端子３１及び正極接触端子３２にも接続されることから、負極接触端子３１及び正極接触端子３２がカトマイザー２０１の負極及び正極と導通する。電子タバコトリガシステムから供給される電流によってカトマイザー２０１の熱抵抗器２０１４が加熱されるとリキッドがエアロゾル化し、これに吸引装置４４０の吸引動作を連携させることで、消費者の喫煙を模した機能が実現される。
【００８２】
電子タバコロッド１００１とカトマイザー２０１又は継手１０５はネジ接続すればよい。具体的な構造として、負極管１０２のうちカトマイザー２０１寄りの一端の内側には導電可能なネジヘッド１０３が固定されており、ネジヘッド１０３の外表面と負極管１０２の内表面が係合されている。また、ネジヘッド１０３の内表面には接続用のネジ山が設けられている。カトマイザー２０１又は継手１０５にはネジヘッド１０３の内表面におけるネジ山に対応するネジ山が設けられており、カトマイザー２０１又は継手１０５がネジヘッド１０３にネジ接続される。
【００８３】
負極管１０２内における正極管１０１の位置が変動しないよう、ネジヘッド１０３の内表面には径方向に内側へ延伸する位置規制突設リング１０３１が更に設けられており、位置規制突設リング１０３１と正極管１０１の外表面との間に第１絶縁リング１０４が充填されている。位置規制突設リング１０３１及び第１絶縁リング１０４は、正極管１０１を負極管１０２の中央位置に固定するとともに、正極管１０１と負極管１０２との絶縁性を保証する。また、負極管１０２のうちカトマイザー２０１から離開する一端と正極管１０１との間には、更に第２絶縁リング１０６が設けられている。第２絶縁リング１０６もまた、正極管１０１と負極管１０２との絶縁性を保証する役割を果たす。
【００８４】
正極管１０１の製造及び装着を容易とすべく、正極管１０１は正極管後部１０１１と正極管前部１０１２に区分される。正極管前部１０１２は正極管後部１０１１に挿入されている。正極管後部１０１１の外表面は正極接触端子３２と接触し、正極管前部１０１２はカトマイザー２０１の正極と接触する。正極管１０１の中央にはカトマイザー２０１の吸引経路１１１と連通する吸引経路９７が設けられている。カトマイザー２０１が電子タバコロッド１００１に装着されると、正極管１０１の吸引経路９７の両端がそれぞれ外気及びカトマイザー１の吸引経路１１１と連通する。また、カトマイザー１の吸引経路１１１は吸煙機の内部に位置する吸引装置４４０と連通する。
【００８５】
前記電子タバコロッド１００１とカトマイザー１の接続は、直接接続（図２６ａ〜図２６ｃ参照）としてもよいし、継手１０５を介した接続（図２７ａ〜図２７ｃ参照）としてもよい。
【００８６】
図２６ａ〜図２６ｃでは、電子タバコロッド１００１とカトマイザー１が直にネジ接続されている。カトマイザー２０１は、電子タバコ管２０１２及び電子タバコキャップ２０１３により囲繞されるエアロゾル室２０１１を含む。エアロゾル室２０１１の内部には熱抵抗器２０１４が設けられており、熱抵抗器２０１４は負極配線２０１６を介して負極導電管２０１８に接続されている。更に、熱抵抗器２０１４は、正極配線２０１５を介して正極導電管２０１７に接続されている。また、正極導電管２０１７は負極導電管２０１８内に位置している。負極導電管２０１８と電子タバコロッド１００１のネジヘッド１０３はネジ接続されている。また、正極導電管２０１７は電子タバコロッド１００１の正極管１０１と接触している。正極導電管２０１７を確実に中央位置に配置し、且つ、正極導電管２０１７と負極導電管２０１８との絶縁効果を保証すべく、負極導電管２０１８には径方向に沿って内側に突出する位置決め突設リング２０１９が設けられている。また、当該位置決め突設リング２０１９と正極導電管２０１７との間には第３絶縁リング２０２０が設けられている。
【００８７】
カトマイザー２０１が電子タバコロッド１００１に装着されると、正極管１０１の吸引経路９７の両端がそれぞれ外気及びカトマイザー１の吸引経路１１１と連通する。また、カトマイザー１の吸引経路１１１はカトマイザー１のエアロゾル室２０１１内まで延伸しており、エアロゾル室２０１１は電子タバコキャップ２０１３の貫通孔を通じて吸煙機内部に位置する吸引装置４４０と連通する。
【００８８】
図２７ａ〜図２７ｃでは、電子タバコロッド１００１とカトマイザー２０１が継手１０５を介して接続されている。電子タバコロッド１００１は更に継手１０５を含む。継手１０５は、負極接続管１０５１と負極接続管１０５１の内部に位置する正極接続管１０５２を含む。負極接続管１０５１の両端はそれぞれ負極管１０２及びカトマイザー２０１の負極と接触しており、正極接続管１０５２の両端はそれぞれ正極管１０１及びカトマイザー２０１の正極と接触している。
【００８９】
正極接続管１０５２を確実に中央位置に配置し、且つ、正極接続管１０５２と負極接続管１０５１との絶縁効果を保証すべく、負極接続管１０５１と正極接続管１０５２の間には第４絶縁リング９５３が設けられている。更に、当該継手１０５の中央には、正極接続管１０５２を貫通する吸引経路９５４が設けられている。当該吸引経路９５４によって、電子タバコロッド１００１の吸引経路９７とカトマイザー２０１の吸引経路１１１が連通する。
【００９０】
当該負極接続管１０５１の周面にはネジ山が設けられている。負極接続管１０５１は一端が電子タバコロッド１００１のネジヘッド１０３にネジ接続され、他端がカトマイザー２０１にネジ接続される。負極接続管１０５１におけるネジヘッド１０３、カトマイザー２０１との係合周面の直径サイズは、ネジヘッド１０３及びカトマイザー２０１のネジ係合面の直径サイズによって決定される。継手１０５によって様々な直径のカトマイザー２０１及び電子タバコロッド１００１の接続を実現可能なことから、電子タバコロッド１００１の適用範囲が拡大する。
【００９１】
図２３〜図２４に示すように、タバコトリガ部３はタバコ押圧端子１３を含む。タバコ押圧端子１３は電子タバコ１における通電ボタン３３の位置に対応しており、トリガ制御シリンダ４がタバコ押圧端子１３によって電子タバコ１の通電ボタン３３を押圧するよう制御することで、電子タバコ１の通電が実現される。
【００９２】
タバコ押圧端子１３の押圧力は大きさを調整可能である。トリガ制御シリンダ４には減圧バルブが設けられており、減圧バルブを調整することでトリガ制御シリンダ４の空気源圧力を調整可能となる。これにより、タバコ押圧端子１３による押圧力が制御されるため、様々なタイプの電子タバコ１が求める押圧強度にタバコ押圧端子１３を適応させられる。
【００９３】
上記の方案で電子タバコ１にトリガを与えることで、ミリ秒レベルの正確なプリトリガ時間を設定可能となる。吸煙機が標準吸引時間及び吸引インターバルにしたがって繰り返し動作を実施する際には、時間を非常に正確に制御することが求められる。しかし、押圧動作と電子タバコにトリガが与えられる瞬間にはタイムラグが生じてしまう。そこで、トリガ時間のタイムラグを解消すべく、上記の技術方案ではトリガ付与時間のプリタイム設定を実現可能である。
【００９４】
前記タバコトリガ部３は集積ブロック７に固定されており、集積ブロック７はトリガ制御シリンダ４のピストンロッド４１に固定接続されている。トリガ制御シリンダ４のピストンロッド４１を伸縮させて集積ブロック７とタバコトリガ部３を移動することで、タバコトリガ部３の位置を調整し、タバコトリガ部３と電子タバコ１の接触を制御する。タバコトリガ部３と電子タバコ１の相対位置をより調整しやすいよう、トリガ制御シリンダ４のピストンロッド４１の軸線と電子タバコ１の軸線は垂直に設けることが好ましい。
【００９５】
前記タバコトリガ部３の直流通電に用いられる負極接触端子３１、正極接触端子３２及び押圧通電に用いられるタバコ押圧端子１３は、集積ブロック７に集積するよう装着してもよい。このように、当該タバコトリガ部３には２種類のトリガ方式が存在するため、直流通電とするか押圧通電とするかを柔軟に選択可能である。なお、好ましい配列方式としては、タバコ押圧端子１３が負極接触端子３１と正極接触端子３２の間に位置し、これら３つの端子が電子タバコ１の軸線と平行な方向に順に配列される。
【００９６】
図２０〜図２４に示すように、接続構造６は吸煙機に固定接続される固定ロッド６１を含む。固定ロッド６１にはガイドレール６２が設けられており、接続ブロック５がガイドレール６２上で摺動する。接続ブロック５がガイドレール６２上で摺動することでタバコトリガ部３の位置を柔軟に調整可能となるため、様々な規格の電子タバコ１にタバコトリガ部３を適用させられる。なお、タバコトリガ部３の相対位置をより調整しやすいよう、ガイドレール６２の軸線と電子タバコ１の軸線は平行とする。当該接続ブロック５には更にロック用ボルトが設けられている。接続ブロック５が所定の位置まで摺動した後、ロック用ボルトをガイドレール６２に押圧することで、接続ブロック５がガイドレール６２に対し固定される。
【００９７】
接続ブロック５がガイドレール６２上で摺動することで、電子タバコ１の軸線と平行な方向におけるタバコトリガ部３の位置が調整される。また、トリガ制御シリンダ４のピストンロッド４１を伸縮させることで、電子タバコ１の軸線と垂直な方向におけるタバコトリガ部３の位置が調整される。上記２種類の調整方式を組み合わせることで、タバコトリガ部３を異なる位置にそれぞれ調整可能なことから、当該トリガシステムは様々な規格の電子タバコ１に適用可能である。
【００９８】
上述したように、本発明の電子タバコトリガシステム及びこれに組み合わせて使用される電子タバコロッドは、吸煙機に専用の電子タバコトリガシステムを装着することで、電子タバコの通電の自動制御を実現する。よって、従来の吸煙機には電子タバコトリガシステムが存在しないとの課題が解決される。また、当該トリガシステムを使用することで、電子タバコのトリガ時間を正確に制御可能となるとともに、実験ニーズに応じて電子タバコの電流の大きさや通電時間等のパラメータを調整することも可能である。このように、本発明は従来技術における様々な瑕疵を効果的に解消するため、高度な産業上の利用価値を有する。
【００９９】
図２８〜図３１に示すように、挟持機構本体３１０は水平底板３１１及び鉛直支持プレート３１４を含む。水平底板３１１の上面にはガイド溝３１２が設けられている。また、ガイド溝３１２は水平底板３１１の長さ方向に設けられている。鉛直支持プレート３１４の底部は水平底板３１１の後端に接続されている。また、鉛直支持プレート３１４には水平方向に貫通するベース貫通孔３１５が設けられている。タバコ挟持装置３２０の他端はディスク体接続端３２４となっており、ディスク体接続端３２４は、鉛直支持プレート３１４のベース貫通孔３１５に嵌入している。更に、タバコ挟持機構はタバコ挟持部材３３０を含む。タバコ挟持部材３３０は、挟持部材底板３３１と、挟持部材底板３３１上に対向して設けられる２つの側面挟持部３３４を含む。挟持部材底板３３１は水平底板３１１のガイド溝３１２に装着されており、且つ、ガイド溝３１２の長さ方向に移動可能である。２つの側面挟持部３３４は、軸方向貫通孔３２２の中軸線を通る鉛直平面を中軸面として対称に設けられる。
【０１００】
タバコの吸引端はタバコ挟持装置３２０のタバコ挟持端３２１に挿入される。２つの側面挟持部３３４は軸方向貫通孔３２２の中軸線を通る鉛直平面を中軸面として対称に設けられているため、対向して設けられる２つの側面挟持部３３４がタバコの側面を挟持すると、タバコの中軸線がタバコ挟持装置３２０の軸方向貫通孔３２２に正確に突き合わされる。これにより、タバコはタバコ挟持装置３２０への挿入後に常に気密を維持することになり、且つ、タバコの位置を安定的に保持可能となる。このほか、挟持部材底板３３１はガイド溝３１２の長さ方向に移動可能なことから、２つの側面挟持部３３４によるタバコの挟持位置はタバコの構造に応じて変更可能である。よって、本発明のタバコ挟持機構によれば各種タイプのタバコを挟持可能となる。
【０１０１】
本発明の回転ディスク２００は水平面に対し垂直となっている。電子タバコ１は吸引実験過程において回転ディスク２００とともに周方向に回動することで、カトマイザー内のリキッドを流動させてリキッドガイド綿を十分に浸潤させる。これにより、アトマイザーに対し十分なリキッドが安定的に供給されるため、エアロゾル化効率、エアロゾル化量及び実験データの安定性及び精度が保障される。また、タバコ挟持機構は回転ディスク２００の回転方向と連携して、安定的に電子タバコ１を挟持する。また、捕集装置自動装着計量システムは回転ディスク２００の運動方向と連携して、捕集装置２が所望の位置に到達するよう制御する。且つ、捕集装置２の通気方向は常に電子タバコ１の吸引試験方向と一致しているため、２度の吸引間のインターバル中に迅速且つ安定的に捕集装置２の交換を確実に完了させられる。更には、２度の吸引間のインターバル中に計量動作を完了し、捕集装置２を吸引位置に戻すことも可能である。また、本発明の電子タバコトリガシステムによれば、電子タバコ１のトリガ自動制御が実現されるため、従来の吸煙機には手動トリガ式電子タバコのトリガシステムが存在しないとの状況や、外部供給電源にかかる課題が解決される。
【０１０２】
また、２つの側面挟持部３３４は軸方向貫通孔３２２の中軸線を通る鉛直平面を中軸面として対称に設けられているため、２つの側面挟持部３３４がタバコの側面を挟持すると、タバコの中軸線がタバコ挟持装置３２０の軸方向貫通孔３２２に正確に突き合わされる。これにより、タバコはタバコ挟持装置３２０への挿入後に常に気密を維持することになり、且つ、タバコの位置を安定的に保持可能となる。このほか、挟持部材底板３３１はガイド溝３１２の長さ方向に移動可能なことから、２つの側面挟持部３３４によるタバコの挟持位置はタバコの構造に応じて変更可能である。よって、本発明のタバコ挟持機構によれば各種タイプのタバコを挟持可能となる。
【０１０３】
対応する挟持位置に移動した挟持部材底板３３１が任意に摺動することのないよう、ガイド溝３１２の底面にはガイド貫通孔３１３が設けられている。また、挟持部材底板３３１には緊締孔３３２が設けられており、緊締部材３３８がガイド貫通孔３１３と緊締孔３３２を順に貫通することで水平底板３１１と挟持部材底板３３１が接続される。実施例において、緊締孔３３２はネジ孔であり、緊締部材３３８はネジである。当該構造によれば、挟持部材底板３３１をガイド溝３１２の長さ方向において所望の位置まで移動させた後、挟持部材底板３３１を水平底板３１１にしっかりと接続することで挟持部材底板３３１の位置を固定可能である。
【０１０４】
挟持部材底板３３１と水平底板３１１をしっかりと接続したとしても、挟持部材底板３３１は左右に移動する恐れがある。そのため、挟持部材底板３３１の底面には突出部３３３が設けられている。突出部３３３はガイド溝３１２に挿入されるとともに、ガイド溝３１２の底面と接触する。また、緊締孔３３２は突出部３３３を貫通している。当該構造によれば、突出部３３３がガイド溝３１２に位置決めされて挟持部材底板３３１の左右への移動を効果的に防止可能なことから、タバコの位置が安定的に維持される。また、挟持部材底板３３１と突出部３３３は一体成型されてＴ型構造をなしている。突出部３３３はガイド溝３１２の底面に接触し、挟持部材底板３３１は水平底板３１１の上面に接触する。
【０１０５】
タバコを２つの側面挟持部３３４の間に装着しやすいよう、各側面挟持部３３４は、挟持部材底板３３１に設けられる板バネ３３５と、板バネ３３５の内側に設けられるガイド部材３３６を含む。ガイド部材３３６の内側面にはＶ状溝が設けられており、同一の挟持部材底板３３１における２つのガイド部材３３６のＶ状溝は対向して設けられる。板バネ３３５は弾性を有し、２つの板バネ３３５を引き離すことでタバコを容易に２つの板バネ３３５の間に載置できる。また、２つの板バネ３３５の弾性回復力によってタバコを挟持可能なため、２つの板バネ３３５によれば各種サイズのタバコを挟持することもできる。タバコは２つのガイド部材３３６の内側面におけるＶ状溝の間に挟持可能であり、タバコと各Ｖ状溝により２点接触を実現することで、Ｖ状溝によるタバコの挟持がいっそう安定する。
【０１０６】
２つのガイド部材３３６におけるＶ状溝の溝底の中点を接続した線は、タバコ挟持装置３２０における軸方向貫通孔３２２の中軸線に対し垂直である。当該構造によれば、２つのＶ状溝により挟持されるタバコの中軸線と軸方向貫通孔３２２の中軸線が正確に突き合わされる。
【０１０７】
タバコ挟持装置３２０のタバコ挟持端３２１における内壁には、ラビリンスリング３２３が設けられている。当該構造によれば、タバコの吸引端とタバコ挟持装置３２０におけるタバコ挟持端３２１との接続が容易となる。
【０１０８】
タバコ挟持部材３３０の数は少なくとも２つとする。少なくとも２つのタバコ挟持部材３３０によりタバコを挟持することで、複数の挟持位置でタバコの挟持を実現可能となるため、各タバコ位置の安定が保証される。
【０１０９】
鉛直支持プレート３１４のベース貫通孔３１５に装着されるタバコ挟持装置３２０の位置を規定するために、タバコ挟持装置３２０におけるタバコ挟持端３２１の外径は鉛直支持プレート３１４のベース貫通孔３１５の直径よりも大きくなっている。
【０１１０】
通常、電子タバコ１は従来の紙巻きタバコを大きく超える重量を有しているが、タバコ挟持機構によれば、吸煙機に装着される電子タバコ１を常に正確且つ安定的な位置に保持可能となる。また、当該機構は大多数の円柱形状且つ様々な直径の電子タバコ１に適応可能であるとともに、タバコ挟持部材３３０を交換することで特殊な形状の電子タバコ１にも適応可能である。また、タバコ挟持部材３３０と当該挟持機構は迅速な交換が可能であり、且つ、電子タバコ１の着脱も容易である。
【０１１１】
上述したように、本発明は従来技術における様々な瑕疵を効果的に解消するため、高度な産業上の利用価値を有する。
【０１１２】
なお、上記実施例は本発明の原理と効果を例示的に説明するものにすぎず、本発明を制限するものではない。本技術を熟知する者であれば、本発明の精神及び範疇を逸脱しないことを前提に、上記実施例を補足又は変更可能である。よって、当業者が本発明で開示する精神及び技術思想を逸脱することなく完了するあらゆる等価の補足又は変更もまた本発明の請求の範囲に包括される。
【符号の説明】
【０１１３】
１        電子タバコ
１１      負極
１２      正極
１３      通電ボタン
２        捕集装置
２１      捕集本体
２２      導気ヘッド
３００    主制御回路基板
１００    ケーシング
１１０    密封装着孔
２００    回転ディスク
２１０    ディスク体吸引貫通孔
２２０    筐体接続孔
１２０    筐体密封部材
１２１    密封通気孔
１２２    密封コア
１２３    環状バネ
１２４    密封部Ｏリング
１２５    ネジ蓋
１２６    捕集密封Ｏリング
３１０    挟持機構本体
３１１    水平底板
３１２    ガイド溝
３１３    ガイド貫通孔
３１４    鉛直支持プレート
３１５    ベース貫通孔
３２０    タバコ挟持装置
３２１    タバコ挟持端
３２２    軸方向貫通孔
３２３    ラビリンスリング
３２４    ディスク体接続端
３３０    タバコ挟持部材
３３１    挟持部材底板
３３２    緊締孔
３３３    突出部
３３４    側面挟持部
３３５    板バネ
３３６    ガイド部材
３３８    緊締部材
４００    押出ロッドユニット
４１０    押出ロッドシリンダ
４２０    中継密封部材
４２１    気道
４３０    導気接続ロッド
４４０    吸引装置
５１０    投入一時タンク
５１１    投入案内溝
５１２    回転式位置規制装置
５１３    投入識別装置
５１４    制動部
５２０    排出一時タンク
５２１    排出案内溝
５２２    押上式位置規制装置
５２３    排出識別装置
５２４    位置規制部材
６００    伝動機構
６１０    マニピュレータ
６１１    爪
６２０    鉛直ガイドプレート
６２１    鉛直ガイドレール
６３０    水平支持プレート
６４０    鉛直駆動軸
６５０    鉛直駆動モータ
６６０    水平ガイドロッド
６７０    水平駆動モータ
６８０    水平ガイドプレート
６８１    水平ガイドレール
７００    天秤
７１０    アダプタ
７１１    支持面
８００    排出伝送機構
８１０    スロープ
８２０    排出押動シリンダ
３        タバコトリガ部
３１      負極接触端子
３２      正極接触端子
３３      タバコ押圧端子
４        トリガ制御シリンダ
４１      ピストンロッド
５        接続ブロック
６        接続構造
６１      固定ロッド
６２      ガイドレール
７        集積ブロック
１００１  電子タバコロッド
１０１    正極管
１０１１  正極管後部
１０１２  正極管前部
１０２    負極管
１０３    ネジヘッド
１０３１  位置規制突設リング
１０４    第１絶縁リング
１０５    継手
１０５１  負極接続管
１０５２  正極接続管
１０５３  第４絶縁リング
１０６    第２絶縁リング
２０１    カトマイザー
２０１１  エアロゾル室
２０１２  電子タバコ管
２０１３  電子タバコキャップ
２０１４  熱抵抗器
２０１５  正極配線
２０１６  負極配線
２０１７  正極導電管
２０１８  負極導電管
２０１９  位置決め突設リング
２０２０  第３絶縁リング
２２２１  カトマイザー吸引経路
８１      回転ディスク
８２      タバコ挟持装置
８３      煙伝送湾曲管
８４      回転軸
８５      吸引孔路
【図１】
2019502922.tif 000003
【図２】
2019502922.tif 000004
【図３】
2019502922.tif 000005
【図４】
2019502922.tif 000006
【図５】
2019502922.tif 000007
【図６】
2019502922.tif 000008
【図７】
2019502922.tif 000009
【図８】
2019502922.tif 000010
【図９】
2019502922.tif 000011
【図１０】
2019502922.tif 000012
【図１１】
2019502922.tif 000013
【図１２】
2019502922.tif 000014
【図１３】
2019502922.tif 000015
【図１４】
2019502922.tif 000016
【図１５】
2019502922.tif 000017
【図１６】
2019502922.tif 000018
【図１７】
2019502922.tif 000019
【図１８】
2019502922.tif 000020
【図１９】
2019502922.tif 000021
【図２０】
2019502922.tif 000022
【図２１】
2019502922.tif 000023
【図２２】
2019502922.tif 000024
【図２３】
2019502922.tif 000025
【図２４】
2019502922.tif 000026
【図２５】
2019502922.tif 000027
【図２６】
2019502922.tif 000028
【図２７】
2019502922.tif 000029
【図２８】
2019502922.tif 000030
【図２９】
2019502922.tif 000031
【図３０】
2019502922.tif 000032
【図３１】
2019502922.tif 000033
【国際調査報告】
2019502922.tif 000034
2019502922.tif 000035
2019502922.tif 000036
2019502922.tif 000037